(57)【要約】【課題】発光効率の優れた色の発光素子を利用して低消費電力化を図る際に、発光効率以外のその他の要因を考慮して低消費電力化を適正に行うことが出来る技術を提供する。【解決手段】画像表示装置であって、画像データを構成する第１から第３の色に対応する第１から第３の階調情報を、第１から第４の色に対応する第１から第４の階調情報に変換するための変換情報を記憶する記憶手段と、第１から第４の色の光を発する第１から第４の発光素子及び前記第１から第４の発光素子に直列接続される第１から第４の駆動トランジスタを含んで構成される第１から第４の発光素子回路とを備え、第１から第４の発光素子回路に印加される電源電圧が、第４の発光素子を最大階調に応じて発光させる際に必要な電圧よりも相対的に低い値に設定される。【選択図】図２１
2008233353.tif 000002
【特許請求の範囲】
【請求項１】
画像表示装置であって、
画像データを構成する第１から第３の色に対応する第１から第３の階調情報を、第１から第４の色に対応する第１から第４の階調情報に変換するための変換情報を記憶する記憶手段と、
前記第１から第４の色の光を発する第１から第４の発光素子及び前記第１から第４の発光素子に直列接続される第１から第４の駆動トランジスタを含んで構成される第１から第４の発光素子回路と、
を備え、
前記第１から第４の発光素子回路に印加される電源電圧が、前記第４の発光素子を最大階調に応じて発光させる際に必要な電圧よりも相対的に低い値に設定されることを特徴とする画像表示装置。
【請求項２】
請求項１に記載の画像表示装置であって、
前記電源電圧が、前記第１から第３の発光素子を最大階調に応じて発光させる際に必要な電圧の最大値以上の値に設定されることを特徴とする画像表示装置。
【請求項３】
請求項１または請求項２に記載の画像表示装置であって、
前記変換情報に係る第１から第４の階調の組合せにおいては、前記第４の階調が、前記最大階調よりも小さく且つ前記電源電圧に対応する所定階調以下となるように設定されていることを特徴とする画像表示装置。
【請求項４】
請求項１から請求項３のいずれかに記載の画像表示装置であって、
前記変換情報が、前記第１から第３の階調の各組合せに対して、前記第４の発光素子を最大階調に応じて発光させる場合よりも消費電力が小さくなるような第１から第４の階調の組合せが関連付けられた情報であることを特徴とする画像表示装置。
【請求項５】
請求項１から請求項４のいずれかに記載の画像表示装置であって、
前記変換情報が、前記第１から第３の階調の各組合せに対して、消費電力が最小となるような第１から第４の階調の組合せが関連付けられた情報であることを特徴とする画像表示装置。
【請求項６】
請求項１から請求項５のいずれかに記載の画像表示装置であって、
前記発光素子が有機ＥＬ素子であることを特徴とする画像表示装置。
【請求項７】
画像表示装置であって、
各絵素に含まれ、且つ相互に異なる第１から第４の色の光を発する第１から第４の発光素子と、
前記第１から第３の色に対応する第１から第３の階調の組合せから、前記第１から第４の色に対応する第１から第４の階調の複数の組合せを算出する所定の算出ルールと、前記第１から第４の色についてそれぞれ階調と電圧との関係を格納した第１から第４の階調電圧データと、前記第１から第４の色についてそれぞれ階調と電流との関係を格納した第１から第４の階調電流データとを記憶する記憶手段と、
前記第１から第３の色に係る第１から第３の階調の情報を含む画像データを受け付ける受付手段と、
前記所定の算出ルールに従って、前記画像データに含まれる第１から第３の階調の情報から、第１から第４の階調の複数の組合せを導出する導出手段と、
前記第１から第４の階調電圧データおよび前記第１から第４の階調電流データを参照して、前記導出手段によって導出された第１から第４の階調の複数の組合せのうち、相対的に消費電力が小さい１組の第１から第４の階調の組合せを認識する認識手段と、
を備えることを特徴とする画像表示装置。
【請求項８】
請求項７に記載の画像表示装置であって、
前記認識手段が、
前記第１から第４の階調電圧データおよび前記第１から第４の階調電流データを参照して、前記導出手段によって導出された第１から第４の階調の複数の組合せのうち、消費電力が小さい方から所定番目となる１組の第１から第４の階調の組合せを認識することを特徴とする画像表示装置。
【請求項９】
請求項８に記載の画像表示装置であって、
前記所定番目が、１番目であることを特徴とする画像表示装置。
【請求項１０】
請求項７から請求項９のいずれかに記載の画像表示装置であって、
前記第１から第４の発光素子と、前記第１から第４の発光素子に直列接続される第１から第４の駆動トランジスタと、を含んで構成される第１から第４の発光素子回路をさらに備え、該第１から第４の発光素子回路に印加される電源電圧が、前記第４の発光素子を最大階調に応じて発光させる際に必要な電圧よりも相対的に低く設定されていることを特徴とする画像表示装置。
【請求項１１】
請求項１０に記載の画像表示装置であって、
前記電源電圧が、前記第１から第３の発光素子をそれぞれ最大階調に応じて発光させる際に必要な第１から第３の必要電圧以上の値に設定され、
前記所定の算出ルールが、前記導出手段によって、前記電源電圧を超える電圧が必要な第４の階調が導出されないように設定されていることを特徴とする画像表示装置。
【請求項１２】
請求項７から請求項１１のいずれかに記載の画像表示装置であって、
前記認識手段によって認識された第１から第４の階調の組合せと、前記第１から第４の階調電圧データとに基づいて、前記第１から第４の発光素子にそれぞれ印加される電源電圧を調整する調整手段、
を更に備えることを特徴とする画像表示装置。
【請求項１３】
請求項７から請求項１２のいずれかに記載の画像表示装置であって、
前記発光素子が有機ＥＬ素子であることを特徴とする画像表示装置。
【請求項１４】
第１から第４の色の光を発する第１から第４の発光素子及び前記第１から第４の発光素子に直列接続される第１から第４の駆動トランジスタを含んで構成される第１から第４の発光素子回路と、
前記第１から第３の色に対応する第１から第３の階調情報を、前記第１から第４の色に対応する第１から第４の階調情報に変換するための変換情報と、
を有する画像表示装置の駆動方法であって、
前記第１から第３の階調情報を含む画像データを受け付けるステップＡと、
前記変換情報に従って、前記画像データに含まれる第１から第３の階調情報から、第１から第４の階調の組合せを導出するステップＢと、
を備え、
前記第１から第４の発光素子回路に印加される電源電圧が、前記第４の発光素子を最大階調に応じて発光させる際に必要な電圧よりも相対的に低い値に設定されることを特徴とする画像表示装置の駆動方法。
【請求項１５】
第１から第４の色の光を発する第１から第４の発光素子を含んで構成される絵素と、
前記第１から第３の色に対応する第１から第３の階調の組合せから、前記第１から第４の色に対応する第１から第４の階調の複数の組合せを算出する所定の算出ルールと、
前記第１から第４の色についてそれぞれ階調と電圧との関係を格納した第１から第４の階調電圧データと、
前記第１から第４の色についてそれぞれ階調と電流との関係を格納した第１から第４の階調電流データと、を有する画像表示装置の駆動方法であって、
前記第１から第３の色に対応する第１から第３の階調の情報を含む画像データを受け付けるステップａと、
前記所定の算出ルールに従って、前記画像データに含まれる第１から第３の階調の情報から、第１から第４の階調の複数の組合せを導出するステップｂと、
前記第１から第４の階調電圧データおよび前記第１から第４の階調電流データを参照して、前記ステップｂにおいて導出された第１から第４の階調の複数の組合せのうち、相対的に消費電力が小さい１組の第１から第４の階調の組合せを認識するステップｃと、
を備えることを特徴とする画像表示装置の駆動方法。
【発明の詳細な説明】
【技術分野】
【０００１】
本発明は、画像表示装置、およびその駆動方法に関する。
【背景技術】
【０００２】
従来より、電流量によって電界発光の発光輝度が制御される有機ＥＬ(Electroluminescence)素子を利用した画像表示装置が知られている（例えば、特許文献１など）。
【０００３】
この有機ＥＬ素子では、発光効率（すなわち電流密度に対する輝度）が高いほど消費電力が低く有利であることが知られている。
【０００４】
そこで、赤(Ｒ)緑(Ｇ)青(Ｂ)の３原色の光を各々発する３種類の画素に対し、発光効率の高い他の１色（例えば白(Ｗ)）の光を発する画素（例えばＷ画素）を加えることで、消費電力を低減する手法が提案されている（例えば、特許文献２〜５など）。また、ＲＧＢの３原色の画素に対してＷ画素を加えた液晶ディスプレイ（例えば、特許文献６など）やプラズマディスプレイ（例えば、特許文献７など）も提案されている。
【０００５】
【特許文献１】特開２００６−３０９２５８号公報
【特許文献２】特開２０００−２０００６１号公報
【特許文献３】米国特許第６９１９６８１号明細書
【特許文献４】米国特許第７０１２５８８号明細書
【特許文献５】米国特許第７０９１９４１号明細書
【特許文献６】特公平０４−６０３７０号公報
【特許文献７】米国特許第４５１３２８１号明細書
【発明の開示】
【発明が解決しようとする課題】
【０００６】
しかしながら、上記従来技術では、発光効率の向上による低消費電力化が指向されていたが、消費電力に対する発光効率以外のその他の要因についてはほとんど考慮されていなかった。
【０００７】
本発明は、上記課題に鑑みてなされたものであり、発光効率の優れた色の発光素子を利用して低消費電力化を図る際に、発光効率以外のその他の要因を考慮して低消費電力化を適正に行うことが出来る技術を提供することを目的とする。
【課題を解決するための手段】
【０００８】
上記の課題を解決するために、請求項１の発明は、画像表示装置であって、画像データを構成する第１から第３の色に対応する第１から第３の階調情報を、第１から第４の色に対応する第１から第４の階調情報に変換するための変換情報を記憶する記憶手段と、前記第１から第４の色の光を発する第１から第４の発光素子及び前記第１から第４の発光素子に直列接続される第１から第４の駆動トランジスタを含んで構成される第１から第４の発光素子回路とを備え、前記第１から第４の発光素子回路に印加される電源電圧が、前記第４の発光素子を最大階調に応じて発光させる際に必要な電圧よりも相対的に低い値に設定されることを特徴とする。
【０００９】
また、請求項２の発明は、請求項１に記載の画像表示装置であって、前記電源電圧が、前記第１から第３の発光素子を最大階調に応じて発光させる際に必要な電圧の最大値以上の値に設定されることを特徴とする。
【００１０】
また、請求項３の発明は、請求項１または請求項２に記載の画像表示装置であって、前記変換情報に係る第１から第４の階調の組合せにおいては、前記第４の階調が、前記最大階調よりも小さく且つ前記電源電圧に対応する所定階調以下となるように設定されていることを特徴とする。
【００１１】
また、請求項４の発明は、請求項１から請求項３のいずれかに記載の画像表示装置であって、前記変換情報が、前記第１から第３の階調の各組合せに対して、前記第４の発光素子を最大階調に応じて発光させる場合よりも消費電力が小さくなるような第１から第４の階調の組合せが関連付けられた情報であることを特徴とする。
【００１２】
また、請求項５の発明は、請求項１から請求項４のいずれかに記載の画像表示装置であって、前記変換情報が、前記第１から第３の階調の各組合せに対して、消費電力が最小となるような第１から第４の階調の組合せが関連付けられた情報であることを特徴とする。
【００１３】
また、請求項６の発明は、請求項１から請求項５のいずれかに記載の画像表示装置であって、前記発光素子が有機ＥＬ素子であることを特徴とする。
【００１４】
また、請求項７の発明は、画像表示装置であって、各絵素に含まれ、且つ相互に異なる第１から第４の色の光を発する第１から第４の発光素子と、前記第１から第３の色に対応する第１から第３の階調の組合せから、前記第１から第４の色に対応する第１から第４の階調の複数の組合せを算出する所定の算出ルールと、前記第１から第４の色についてそれぞれ階調と電圧との関係を格納した第１から第４の階調電圧データと、前記第１から第４の色についてそれぞれ階調と電流との関係を格納した第１から第４の階調電流データとを記憶する記憶手段と、前記第１から第３の色に係る第１から第３の階調の情報を含む画像データを受け付ける受付手段と、前記所定の算出ルールに従って、前記画像データに含まれる第１から第３の階調の情報から、第１から第４の階調の複数の組合せを導出する導出手段と、前記第１から第４の階調電圧データおよび前記第１から第４の階調電流データを参照して、前記導出手段によって導出された第１から第４の階調の複数の組合せのうち、相対的に消費電力が小さい１組の第１から第４の階調の組合せを認識する認識手段とを備えることを特徴とする。
【００１５】
また、請求項８の発明は、請求項７に記載の画像表示装置であって、前記認識手段が、前記第１から第４の階調電圧データおよび前記第１から第４の階調電流データを参照して、前記導出手段によって導出された第１から第４の階調の複数の組合せのうち、消費電力が小さい方から所定番目となる１組の第１から第４の階調の組合せを認識することを特徴とする。
【００１６】
また、請求項９の発明は、請求項８に記載の画像表示装置であって、前記所定番目が、１番目であることを特徴とする。
【００１７】
また、請求項１０の発明は、請求項７から請求項９のいずれかに記載の画像表示装置であって、前記第１から第４の発光素子と、前記第１から第４の発光素子に直列接続される第１から第４の駆動トランジスタと、を含んで構成される第１から第４の発光素子回路をさらに備え、該第１から第４の発光素子回路に印加される電源電圧が、前記第４の発光素子を最大階調に応じて発光させる際に必要な電圧よりも相対的に低く設定されていることを特徴とする。
【００１８】
また、請求項１１の発明は、請求項１０に記載の画像表示装置であって、前記電源電圧が、前記第１から第３の発光素子をそれぞれ最大階調に応じて発光させる際に必要な第１から第３の必要電圧以上の値に設定され、前記所定の算出ルールが、前記導出手段によって、前記電源電圧を超える電圧が必要な第４の階調が導出されないように設定されていることを特徴とする。
【００１９】
また、請求項１２の発明は、請求項７から請求項１１のいずれかに記載の画像表示装置であって、前記認識手段によって認識された第１から第４の階調の組合せと、前記第１から第４の階調電圧データとに基づいて、前記第１から第４の発光素子にそれぞれ印加される電源電圧を調整する調整手段を更に備えることを特徴とする。
【００２０】
また、請求項１３の発明は、請求項７から請求項１２のいずれかに記載の画像表示装置であって、前記発光素子が有機ＥＬ素子であることを特徴とする。
【００２１】
また、請求項１４の発明は、第１から第４の色の光を発する第１から第４の発光素子及び前記第１から第４の発光素子に直列接続される第１から第４の駆動トランジスタを含んで構成される第１から第４の発光素子回路と、前記第１から第３の色に対応する第１から第３の階調情報を、前記第１から第４の色に対応する第１から第４の階調情報に変換するための変換情報とを有する画像表示装置の駆動方法であって、前記第１から第３の階調情報を含む画像データを受け付けるステップＡと、前記変換情報に従って、前記画像データに含まれる第１から第３の階調情報から、第１から第４の階調の組合せを導出するステップＢとを備え、前記第１から第４の発光素子回路に印加される電源電圧が、前記第４の発光素子を最大階調に応じて発光させる際に必要な電圧よりも相対的に低い値に設定されることを特徴とする。
【００２２】
また、請求項１５の発明は、第１から第４の色の光を発する第１から第４の発光素子を含んで構成される絵素と、前記第１から第３の色に対応する第１から第３の階調の組合せから、前記第１から第４の色に対応する第１から第４の階調の複数の組合せを算出する所定の算出ルールと、前記第１から第４の色についてそれぞれ階調と電圧との関係を格納した第１から第４の階調電圧データと、前記第１から第４の色についてそれぞれ階調と電流との関係を格納した第１から第４の階調電流データと、を有する画像表示装置の駆動方法であって、前記第１から第３の色に対応する第１から第３の階調の情報を含む画像データを受け付けるステップａと、前記所定の算出ルールに従って、前記画像データに含まれる第１から第３の階調の情報から、第１から第４の階調の複数の組合せを導出するステップｂと、前記第１から第４の階調電圧データおよび前記第１から第４の階調電流データを参照して、前記ステップｂにおいて導出された第１から第４の階調の複数の組合せのうち、相対的に消費電力が小さい１組の第１から第４の階調の組合せを認識するステップｃと、
を備えることを特徴とする。
【発明の効果】
【００２３】
本発明の１つの態様によれば、第１〜３の色に係る第１〜３の階調の組合せから、第１〜４の色に係る第１〜４の階調の複数の組合せを算出する所定の算出ルールと、第１〜４の色についてそれぞれ階調と電圧との関係を格納した第１〜４の階調電圧データと、第１〜４の色についてそれぞれ階調と電流との関係を格納した第１〜４の階調電流データとを準備しておき、第１〜３の階調の情報を含む画像データを受け付けて、所定の算出ルールに従って、画像データに含まれる第１〜３の階調の情報から、第１〜４の階調の複数の組合せを導出するとともに、第１〜４の階調電圧データおよび第１〜４の階調電流データを参照して、導出された第１〜４の階調の複数の組合せのうち、相対的に消費電力が小さい１組の第１〜４の階調の組合せを認識して、当該１組の第１〜４の階調の組合せに基づいて、第１〜４の色に係る第１〜４の発光素子をそれぞれ発光させることで、発光効率に加えて電源電圧の影響も考慮して、消費電力を低減することができる。すなわち、発光効率の優れた色の発光素子を利用して低消費電力化を図る際に、発光効率以外のその他の要因を考慮して低消費電力化を適正に行うことが出来る。
【００２４】
また、導出された第１〜４の階調の複数の組合せのうち、消費電力が小さい方から所定番目の第１〜４の階調の組合せに基づいて、第１〜４の色に係る第１〜４の発光素子をそれぞれ発光させることで、低消費電力化を容易かつ適正に行うことが出来る。
【００２５】
また、導出された第１〜４の階調の複数の組合せのうち、消費電力が最も低くなる第１〜４の階調の組合せに基づいて、第１〜４の色に係る第１〜４の発光素子をそれぞれ発光させることで、低消費電力化をより適正に行うことが出来る。
【００２６】
また、第１〜４の発光素子回路に印加される電源電圧が、第４の発光素子を最大階調に応じて発光させる際に必要な電圧よりも相対的に低く設定されているため、電源電圧の抑制による低消費電力化を図ることができる。
【００２７】
また、電源電圧が、第１〜３の発光素子をそれぞれ最大階調に応じて発光させる際に必要な電圧以上の値に設定され、電源電圧を超える電圧が必要な第４の階調が導出されないように設定されているため、電源電圧の抑制による低消費電力化を容易に行うことができる。
【００２８】
また、認識された第１〜４の階調の組合せと、第１〜４の階調電圧データとに基づいて、第１〜４の発光素子にそれぞれ印加される電源電圧が調整されるため、電源電圧の抑制による低消費電力化を細かく行うことができる。
【００２９】
本発明の別の態様によれば、第１〜３の色に係る第１〜３の階調の各組合せに対して、第１〜４の色に係る第１〜４の階調の組合せを関連付けた変換情報を準備しておき、第１〜４の発光素子回路にそれぞれ印加される電源電圧が、第４の発光素子を最大階調に応じて発光させる際に必要な電圧よりも相対的に低く設定され、第１〜３の色に係る第１〜３の階調の情報を含む画像データを受け付けて、変換情報に従って、画像データに含まれる第１〜３の階調の情報から導出される第１〜４の階調の組合せに基づいて、第１〜４の発光素子をそれぞれ発光させることで、発光効率の優れた色の発光素子を利用して低消費電力化を図る際に、発光効率以外のその他の要因を考慮して低消費電力化を適正に行うことが出来る。
【００３０】
また、電源電圧が、第１〜３の発光素子をそれぞれ最大階調に応じて発光させる際に必要な電圧の最大値以上の値に設定されるため、第１〜３の階調の最大階調に応じた第１〜３の色の単色発光が可能な範囲で、電源電圧の抑制による低消費電力化を行うことができる。
【００３１】
また、変換情報に係る第１〜４の階調の組合せにおいて、第４の階調が、最大階調よりも低く且つ電源電圧に対応する所定階調以下となるように設定されるため、電源電圧の抑制による低消費電力化を行うことができる。
【００３２】
また、変換情報を、第１〜３の階調の各組合せに対して、第４の発光素子を最大階調に応じて発光させる場合よりも消費電力が小さくなるような第１〜４の階調の組合せが関連付けられた情報とすることで、電源電圧の抑制による低消費電力化を行うことができる。
【００３３】
また、変換情報を、第１〜３の階調の各組合せに対して、消費電力が最小となるような第１〜４の階調の組合せが関連付けられた情報とすることで、低消費電力化をより適正に行うことが出来る。
【発明を実施するための最良の形態】
【００３４】
＜用語説明＞
本明細書で言う各色の「階調」は、各色の明るさの度合いを示すパラメータとして用いられるものであり、例えば、所定ビット（例えば８ビット）の階調表現では、各色の階調が、最小値（例えば０階調）となる場合が画面上で最も暗く再現されることを意味し、最大値（例えば２５５階調）となる場合が画面上で最も明るく再現されることを意味している。また、第１の階調とは第１の色の階調を、第２の階調とは第２の色の階調を、第３の階調とは第３の色の階調を、第４の階調とは第４の色の階調をそれぞれ意味する。
【００３５】
以下、本発明の実施形態を図面に基づいて説明する。
【００３６】
＜基礎技術＞
実施形態について説明する前に、後述する本発明の実施形態に係る画像表示装置の基礎となる画像表示装置（基礎技術に係る画像表示装置）について、図１から図８に基づいて説明する。ここでは、画像表示装置は、いわゆる電流値によって発光輝度を調節する有機ＥＬディスプレイを備えて構成される。この画像表示装置では、多数の画素が配置され、各画素に有機ＥＬ素子が配置されている。
【００３７】
＜画素回路の構成＞
図１は、基礎技術に係る画像表示装置を構成する１画素分の画素回路（駆動回路）７の構成例を示す図である。
【００３８】
画素回路７は、有機ＥＬ素子１、駆動トランジスタ２、閾値補償用トランジスタ３、およびコンデンサ４を備える。なお、画素回路７は一画素と一対一に対応している。
【００３９】
有機ＥＬ素子１は、有機物などで構成され、発光層を流れる電流の量（電流量）によって発光輝度が変化する発光素子である。この有機ＥＬ素子１は、アノード電極１ａとカソード電極１ｂとを有しており、アノード電極１ａは、給電線のうちで有機ＥＬ素子１の発光時に高電位側となる電源線としてのＶＤＤ線Ｌｖｄに対して電気的に接続される。一方、カソード電極１ｂは、給電線のうちで有機ＥＬ素子１の発光時に低電位側となる電源線としてのＶＳＳ線Ｌｖｓに対して駆動トランジスタ２を介して電気的に接続される。
【００４０】
駆動トランジスタ２は、有機ＥＬ素子１に対して電気的に直列に接続され、有機ＥＬ素子１における電流量を調整することで有機ＥＬ素子１の発光輝度を制御するトランジスタである。ここでは、駆動トランジスタ２は、キャリアが電子であるタイプ（ｎ型）のＭＩＳ(Metal Insulator Semiconductor）構造を採用した電界効果トランジスタ（FET:Field Effect Transistor）の一種である薄膜トランジスタ（TFT：Thin Film Transistor）、すなわちｎ−ＭＩＳＦＥＴＴＦＴによって構成される。
【００４１】
この駆動トランジスタ２は、第１から第３電極２ｄｓ，２ｓｄ，２ｇを有している。第１電極２ｄｓは、有機ＥＬ素子１のカソード電極１ｂに対して電気的に接続され、有機ＥＬ素子１が発光する際、すなわち有機ＥＬ素子１に対して順方向の電流が流れる際にドレイン電極（以下「ドレイン」と略称する）として機能する。一方、有機ＥＬ素子１に対して逆方向に電流が流れる際には、逆にソース電極（以下「ソース」と略称する）として機能する。また、第２電極２ｓｄは、ＶＳＳ線Ｌｖｓに対して電気的に接続され、有機ＥＬ素子１に対して順方向の電流が流れる際にソース電極（ソース）として機能する。一方、有機ＥＬ素子１に対して逆方向に電流が流れる際には、逆にドレイン電極（ドレイン）として機能する。更に、第３電極２ｇは、いわゆるゲート電極（以下「ゲート」と略称する）であり、コンデンサ４の一方の電極（第７電極４ａ）に対して電気的に接続される。
【００４２】
また、駆動トランジスタ２では、第３電極２ｇに印加される電位、より詳細には第１電極２ｄｓまたは第２電極２ｓｄと第３電極２ｇとの間（すなわちゲートとソースとの間）に印加される電圧値が調整されることで、第１電極２ｄｓと第２電極２ｓｄとの間（以下「第１−２電極間」とも称する）において流れる電流の量（電流量）が調整される。そして、この第３電極（ゲート）２ｇに印加される電位により、駆動トランジスタ２は、第１−２電極間（すなわちドレインとソースとの間）において電流が流れ得る状態（導通状態）と、電流が流れ得ない状態（非導通状態）とに選択的に設定される。
【００４３】
Ｖｔｈ補償用トランジスタ３は、駆動トランジスタ２が通電状態となる場合の、駆動トランジスタ２の第２電極２ｓｄに対する第３電極２ｇの電位の下限値（所定の閾値電圧Ｖｔｈ）を検出するとともに、駆動トランジスタ２のゲート電圧を、閾値電圧Ｖｔｈ（以下「閾値Ｖｔｈ」と略称する）に調整するトランジスタである。なお、ここでは、Ｖｔｈ補償用トランジスタ３も、駆動トランジスタ２と同様にｎ−ＭＩＳＦＥＴＴＦＴによって構成される。
【００４４】
このＶｔｈ補償用トランジスタ３は、第４から第６電極３ｄｓ，３ｓｄ，３ｇを有している。第４電極３ｄｓは、駆動トランジスタ２の第１電極２ｄｓと有機ＥＬ素子１のカソード電極１ｂとを電気的に接続する配線に対して導電可能に接続される。すなわち、第４電極３ｄｓは、駆動トランジスタ２の第１電極２ｄｓに対して電気的に接続される。また、第５電極３ｓｄは、接続点Ｔ１において駆動トランジスタ２の第３電極（ゲート）２ｇとコンデンサ４とを電気的に接続する配線に対して導電可能に接続される。すなわち、駆動トランジスタ２のゲート２ｇに対して電気的に接続される。更に、第６電極３ｇは、いわゆるゲート電極であり、走査信号線Ｌｓｓに対して電気的に接続される。
【００４５】
また、Ｖｔｈ補償用トランジスタ３では、第６電極３ｇに印加される電位、より具体的には第４電極３ｄｓまたは第５電極３ｓｄと第６電極３ｇとの間（すなわちゲートとソースとの間）に印加される電圧値が調整されることで、第４電極３ｄｓと第５電極３ｓｄとの間（以下「第４−５電極間」とも称する）において流れる電流の量（電流量）が調整される。そして、この第６電極（ゲート）３ｇに印加される電位により、Ｖｔｈ補償用トランジスタ３は、第４−５電極間（ドレインとソースとの間）において電流が流れ得る状態（導通状態）と、電流が流れ得ない状態（非導通状態）とに選択的に設定される。
【００４６】
ここで、有機ＥＬ素子１は、電流値によって発光輝度が制御されるため、発光時における駆動トランジスタ２のゲート電圧のゆらぎに対して、発光輝度が敏感に変動する。特に、駆動トランジスタ２がアモルファスシリコンを用いて構成された場合には、駆動トランジスタ２ごとに閾値Ｖｔｈが異なる傾向にある。よって、画素毎に異なる閾値Ｖｔｈを補償する機能（Ｖｔｈ補償機能）を持たせないと、所望の発光輝度と実際の発光輝度との間に若干の乖離が生じ、結果として画素間で発光輝度のムラが生じてしまう。
【００４７】
そこで、Ｖｔｈ補償用トランジスタ３は、発光前において各画素ごとに駆動トランジスタ２のゲート電圧を閾値Ｖｔｈに合わせることで、駆動トランジスタ２における閾値Ｖｔｈのばらつきを補償するＶｔｈ補償機能を実現するために設けられている。
【００４８】
コンデンサ４は、駆動トランジスタ２の第３電極２ｇに対して電気的に接続される第７電極４ａと、画像信号線Ｌｉｓに対して電気的に接続される第８電極４ｂとを備えて構成されている。なお、コンデンサ４の保持容量を所定値Ｃｓとする。
【００４９】
ところで、有機ＥＬ素子１は、発光時と逆の電圧が印加されるとコンデンサとして機能し、この容量（ＥＬ素子容量）を所定値Ｃｏとする。また、駆動トランジスタ２は、第２電極２ｓｄと第３電極２ｇとの間（以下「第２−３電極間」とも称する）の寄生容量ＣｇｓＴｄと、第１電極２ｄｓと第３電極２ｇとの間（以下「第１−３電極間」とも称する）の寄生容量ＣｇｄＴｄとを有する。更に、Ｖｔｈ補償用トランジスタ３は、第５電極３ｓｄと第６電極３ｇとの間（以下「第５−６電極間」とも称する）の寄生容量ＣｇｓＴｔｈと、第４電極３ｄｓと第６電極３ｇとの間（以下「第４−６電極間」とも称する）の寄生容量ＣｇｄＴｔｈとを有する。なお、寄生容量ＣｇｓＴｄ，ＣｇｄＴｄ，ＣｇｓＴｔｈ，ＣｇｄＴｔｈは、それぞれ駆動トランジスタ２、およびＶｔｈ補償用トランジスタ３の構成によって決定される所定値の容量である。
【００５０】
図２は、図１で示した画素回路７の回路構成（図中太線で記載）に対して、寄生容量ＣｇｓＴｔｈ，ＣｇｄＴｔｈ，ＣｇｓＴｄ，ＣｇｄＴｄとＥＬ素子容量Ｃｏとに係る回路構成（図中細線で記載）を加えた模式図である。
【００５１】
図２で示すように、画素回路７では、有機ＥＬ素子１の両電極間にはＥＬ素子容量Ｃｏを有するコンデンサ１ｃが存在し、駆動トランジスタ２の第２−３電極間には寄生容量ＣｇｓＴｄを有するコンデンサ２ｇｓが存在する一方で、駆動トランジスタ２の第１−３電極間には寄生容量ＣｇｄＴｄを有するコンデンサ２ｇｄが存在し、更に、Ｖｔｈ補償用トランジスタ３の第５−６電極間には寄生容量ＣｇｓＴｔｈを有するコンデンサ３ｇｓが存在する一方で、Ｖｔｈ補償用トランジスタ３の第４−６電極間には寄生容量ＣｇｄＴｔｈを有するコンデンサ３ｇｄが存在している状態と等価な状態が発生する。
【００５２】
なお、ここでは、１つの画素回路７に着目して説明したが、有機ＥＬディスプレイ全体では、画素回路７が多数存在する。このため、走査信号線Ｌｓｓも多数存在する。そこで、以下では、多数の走査信号線Ｌｓｓを、適宜「第Ｎ走査信号線（Ｎは自然数）Ｌｓｓ」と称する。
【００５３】
＜有機ＥＬ素子の発光に関する駆動方法＞
図３は、有機ＥＬ素子１を発光させる際の信号波形（駆動波形）を示すタイミングチャートである。図３では、横軸が時刻を示し、上から順に、(ａ)ＶＤＤ線Ｌｖｄに印加される電位（電位Ｖｄｄ）、(ｂ)ＶＳＳ線Ｌｖｓに印加される電位（電位Ｖｓｓ）、(ｃ)第１走査信号線Ｌｓｓに印加される信号の電位（電位Ｖｌｓ１）、(ｄ)第２走査信号線Ｌｓｓに印加される信号の電位（電位Ｖｌｓ２）、(ｅ)画像信号線Ｌｉｓに印加される信号の電位（電位Ｖｌｉｓ）、の波形が示されている。
【００５４】
また、図３では、有機ＥＬ素子１を１回発光させるための駆動波形が示されており、１回の発光に係る期間は、時間順次に、Ｃｓ初期化期間Ｐ１（時刻ｔ１１〜ｔ１２）、準備期間Ｐ２（時刻ｔ１２〜ｔ１３）、Ｖｔｈ補償期間Ｐ３（時刻ｔ１３〜ｔ１４）、書込期間Ｐ４（時刻ｔ１４〜ｔ１５）、素子初期化期間Ｐ５（時刻ｔ１５〜ｔ１６）、および発光期間Ｐ６（時刻ｔ１６〜）を備えて構成される。なお、書込期間Ｐ４における電位Ｖｌｉｓは、各有機ＥＬ素子１の発光輝度によって決まる任意の値であるため、図３では、当該電位が存在し得る範囲に斜線ハッチングが便宜的に付されている。
【００５５】
図４から図８は、基礎技術に係る画像表示装置を駆動させる際に、画素回路７に着目して、各期間において発生する画素回路７の電流の流れを例示する図である。図４から図８では、画素回路７のうち、電流の流れに寄与する回路は太線で示され、電流の流れにほとんど寄与しない回路は細線で示されている。
【００５６】
以下、図３および図４から図８を適宜参照しつつ、基礎技術に係る画像表示装置の駆動方法について説明する。
【００５７】
○Ｃｓ初期化期間Ｐ１：
図４では、Ｃｓ初期化期間Ｐ１（以下適宜「期間Ｐ１」と略する）での画素回路７における電流の流れが例示されている。
【００５８】
期間Ｐ１では、ＶＤＤ線ＬｖｄおよびＶＳＳ線Ｌｖｓにそれぞれ所定の正の高電位ＶＤＤ（例えば１５Ｖ）が印加され、全走査信号線Ｌｓｓに所定の正の高電位ＶｇＨ（例えば１５Ｖ）が印加され、画像信号線Ｌｉｓに所定の基準電位（ここでは０Ｖ）が印加される。
【００５９】
このとき、Ｖｔｈ補償用トランジスタ３については、走査信号線Ｌｓｓにおける高電位ＶｇＨの印加により、第６電極（ゲート）３ｇに高電位ＶｇＨに応じた正電位が印加され、導通状態となる。一方、駆動トランジスタ２については、ＶＤＤ線ＬｖｄとＶＳＳ線Ｌｖｓとが略同電位であるため、駆動トランジスタ２が実質的にオフとなり、非導通状態となる。
【００６０】
したがって、期間Ｐ１では、図４において白抜きの矢印で示すように、ＶＤＤ線ＬｖｄからＶｔｈ補償用トランジスタ３の第４および第５電極３ｄｓ，３ｓｄを介してコンデンサ４に向けて電流が流れ、コンデンサ４に所定量の電荷（例えば、１５Ｖに応じた電荷量）が蓄積される。
【００６１】
なお、期間Ｐ１における時間経過とともにコンデンサ４に蓄積される電荷量が高まると、駆動トランジスタ２において、第３電極（ゲート）２ｇに所定値を超える正電位が印加され、導通状態となることもあり得る。しかし、ＶＤＤ線ＬｖｄおよびＶＳＳ線Ｌｖｓがともに同電位ＶＤＤに設定されているため、駆動トランジスタ２の第１−２電極間で電流は流れない。
【００６２】
○準備期間Ｐ２：
図５では、準備期間Ｐ２（以下適宜「期間Ｐ２」と略する）での画素回路７における電流の流れが例示されている。
【００６３】
期間Ｐ２では、ＶＤＤ線Ｌｖｄに負の所定電位−Ｖｐ（例えば−７Ｖ）が印加され、ＶＳＳ線Ｌｖｓに所定の基準電位（ここでは０Ｖ）が印加され、全走査信号線Ｌｓｓに所定の低電位ＶｇＬ（例えば−１０Ｖ）が印加され、画像信号線Ｌｉｓに所定の高電位ＶｄＨ（例えば１０Ｖ）が印加される。
【００６４】
このとき、Ｖｔｈ補償用トランジスタ３については、走査信号線Ｌｓｓにおける低電位ＶｇＬの印加により、第６電極（ゲート）３ｇにはほとんど正の電位が印加されないため、非導通状態となる。一方、駆動トランジスタ２については、画像信号線Ｌｉｓにおける高電位ＶｄＨの印加により、第３電極（ゲート）２ｇに高電位ＶｄＨに応じた正電位（例えば１５＋１０＝２５Ｖ）が印加され、導通状態となる。
【００６５】
そして、ＶＤＤ線ＬｖｄよりもＶＳＳ線Ｌｖｓの方がＶｐだけ電位が高いため、図５において白抜きの矢印で示すように、ＶＳＳ線Ｌｖｓから駆動トランジスタ２の第２および第１電極２ｓｄ，２ｄｓを介して、有機ＥＬ素子１に向けて電流が流れる。その結果、有機ＥＬ素子１すなわち素子コンデンサ１ｃにＶＤＤ線ＬｖｄとＶＳＳ線Ｌｖｓとの間の電位差に応じた所定量の電荷（例えば７Ｖに応じた電荷）が蓄積される。
【００６６】
○Ｖｔｈ補償期間Ｐ３：
図６では、Ｖｔｈ補償期間Ｐ３（以下適宜「期間Ｐ３」と略する）での画素回路７における電流の流れが例示されている。
【００６７】
期間Ｐ３では、ＶＤＤ線ＬｖｄおよびＶＳＳ線Ｌｖｓにそれぞれ所定の基準電位（ここでは０Ｖ）が印加され、全走査信号線Ｌｓｓに高電位ＶｇＨが印加され、画像信号線Ｌｉｓに高電位ＶｄＨ（例えば１０Ｖ）が印加される。
【００６８】
このとき、Ｖｔｈ補償用トランジスタ３については、走査信号線Ｌｓｓにおける高電位ＶｇＨの印加により、第６電極（ゲート）３ｇに高電位ＶｇＨに応じた正電位が印加され、導通状態となる。また、駆動トランジスタ２については、期間Ｐ３の初期では、コンデンサ４に蓄積された電荷と画像信号線Ｌｉｓに印加された電位ＶｄＨにより、導通状態となる。
【００６９】
したがって、期間Ｐ３の初期では、図６において白抜きの矢印で示すように、コンデンサ４に蓄積された電荷に伴う電流が、コンデンサ４からＶｔｈ補償用トランジスタ３の第５および第４電極３ｓｄ，３ｄｓ、更には駆動トランジスタ２の第１および第２電極２ｄｓ，２ｓｄを介してＶＳＳ線Ｌｖｓに向けて流れる。また、素子コンデンサ１ｃに蓄積された電荷に伴う電流が、駆動トランジスタ２の第１および第２電極２ｄｓ，２ｓｄを介してＶＳＳ線Ｌｖｓに向けて流れる。
【００７０】
ところが、コンデンサ４に蓄積された電荷に伴う電流が、コンデンサ４からＶＳＳ線Ｌｖｓに向けて流れるにつれて、コンデンサ４に蓄積された電荷が減少する。そして、駆動トランジスタ２の第２電極２ｓｄに対する第３電極２ｇの電位Ｖｇｓ（以下「第３−２電極間」とも称する）が実質的に閾値Ｖｔｈまで減少すると、駆動トランジスタ２は、非導通状態となる。このとき、コンデンサ４には、閾値Ｖｔｈに応じた電荷が蓄積された状態となる。このように、期間Ｐ３では、閾値Ｖｔｈに応じた電荷がコンデンサ４に蓄積されて、画素ごとに異なる閾値Ｖｔｈのばらつきが補償される。
【００７１】
○書込期間Ｐ４：
図７では、書込期間Ｐ４（以下適宜「期間Ｐ４」と略する）での画素回路７における電流の流れが例示されている。
【００７２】
期間Ｐ４では、ＶＤＤ線ＬｖｄおよびＶＳＳ線Ｌｖｓにそれぞれ基準電位０Ｖが印加されるとともに、画素データ信号に応じた電荷の蓄積を行う処理（データ書込処理）の実施対象画素において、走査信号線Ｌｓｓに高電位ＶｇＨが印加され、画像信号線Ｌｉｓに電位（ＶｄＨ−Ｖdata）が印加される。なお、電位Ｖdataは、画素データ信号の電位であり、画像を構成する画素の輝度の階調に対応する値に応じた電位である。
【００７３】
このとき、Ｖｔｈ補償用トランジスタ３については、走査信号線Ｌｓｓにおける高電位ＶｇＨの印加により、ゲートに高電位ＶｇＨに応じた正電位が印加され、導通状態となる。一方、駆動トランジスタ２については、画像信号線Ｌｉｓに対して、期間Ｐ３における電位ＶｄＨ以下の電位（ＶｄＨ−Ｖdata）が印加され、ゲート電圧が閾値Ｖｔｈ以下となるため、非導通状態となる。
【００７４】
したがって、期間Ｐ４では、図７において白抜きの矢印で示すように、有機ＥＬ素子１（すなわち素子コンデンサ１ｃ）からＶｔｈ補償用トランジスタ３の第４および第５電極３ｄｓ，３ｓｄを介してコンデンサ４に向けて電流が流れる。その結果、コンデンサ４に既に蓄積された閾値Ｖｔｈに応じた電荷の上に電位Ｖdataに応じた電荷が加算されて蓄積される。すなわち、期間Ｐ４においては、コンデンサ４に有機ＥＬ素子１の発光輝度に応じた電荷が蓄積される。換言すれば、期間Ｐ４では、画素回路７において画素データ信号に応じた電荷がコンデンサ４に蓄積される。
【００７５】
なお、コンデンサ４の第７電極４ａの電位（駆動トランジスタ２のゲート電位）の変化量は、画像信号線Ｌｉｓの電位の変化量と、コンデンサ４の保持容量Ｃｓと素子コンデンサ１ｃのＥＬ素子容量Ｃｏとの比（容量比）との積である。すなわち、本実施形態においては、画像信号線Ｌｉｓの電位がＶｄＨからＶｄａｔａに変化する場合、駆動トランジスタ２のゲート電位が、（Ｖｄａｔａ−ＶｄＨ）・Ｃｓ／（Ｃｓ＋Ｃｏ）だけ変化する。例えば、ＶｄＨ＝１０Ｖ，Ｖdata＝５Ｖ、Ｃｓ：Ｃｏ＝１：２である場合には、画像信号線Ｌｉｓの電位が−５Ｖ変化し、駆動トランジスタ２のゲート電位は、有機ＥＬ素子１からコンデンサ４に対する電荷の移動により、（５−１０）・１／（１＋２）＝−５／３Ｖ変化する。このようにコンデンサ４に蓄積される電荷の移動により、画像信号線Ｌｉｓの電位の変化が駆動トランジスタ２のゲート電位に反映される。
【００７６】
○素子初期化期間Ｐ５：
素子初期化期間Ｐ５（以下適宜「期間Ｐ５」と略する）については、ＶＤＤ線ＬｖｄおよびＶＳＳ線Ｌｖｓにそれぞれ所定の負電位−Ｖｐが印加され、全走査信号線Ｌｓｓに低電位ＶｇＬが印加され、画像信号線Ｌｉｓに高電位ＶｄＨが印加される。このとき、Ｖｔｈ補償用トランジスタ３が非導通状態となり、駆動トランジスタ２が導通状態となる。そして、ＶＤＤ線ＬｖｄとＶＳＳ線Ｌｖｓとの間に電位差がなく、ＶＳＳ線Ｌｖｓが負電位−Ｖｐに設定されているため、有機ＥＬ素子１（すなわち素子コンデンサ１ｃ）に蓄積された電荷が、ＶＳＳ線Ｌｖｓに抜けて、有機ＥＬ素子１に蓄積された電荷が一掃される。
【００７７】
○発光期間Ｐ６：
図８では、発光期間Ｐ６（以下適宜「期間Ｐ６」と略する）での画素回路７における電流の流れが例示されている。
【００７８】
期間Ｐ６では、ＶＤＤ線Ｌｖｄに正の高電位ＶＤＤが印加される一方で、ＶＳＳ線Ｌｖｓに基準電位０Ｖが印加され、走査信号線Ｌｓｓに低電位ＶｇＬが印加され、画像信号線Ｌｉｓに高電位ＶｄＨが印加される。
【００７９】
このとき、Ｖｔｈ補償用トランジスタ３については、走査信号線Ｌｓｓにおける低電位ＶｇＬの印加により、非導通状態となる。一方、駆動トランジスタ２については、画像信号線Ｌｉｓに対して高電位ＶｄＨが印加されるため、期間Ｐ４においてコンデンサ４に蓄積された電荷量（電位Ｖdataに応じた電荷量）に応じた電位分だけＶｇｓが、閾値Ｖｔｈよりも高くなり、導通状態となる。
【００８０】
例えば、Ｖdata＝５Ｖ、Ｃｓ：Ｃｏ＝１：２である場合には、期間Ｐ４においてコンデンサ４に蓄積される電荷が、閾値Ｖｔｈよりも５／３Ｖだけ低い電位（［Ｖｔｈ−５／３］Ｖ）に対応する。そして、期間Ｐ６では、画像信号線Ｌｉｓに対して期間Ｐ４よりもＶdata（＝５Ｖ）分だけ高い電位が印加され、第３電極（ゲート）２ｇに対して、閾値Ｖｔｈよりも１０／３Ｖだけ高い電位（［Ｖｔｈ＋１０／３］Ｖ＝［Ｖｔｈ−（５／３）＋５］Ｖ）が印加される。
【００８１】
そして、ＶＤＤ線ＬｖｄがＶＳＳ線Ｌｖｓよりも電位ＶＤＤ分だけ高電位であり、駆動トランジスタ２が電位Ｖdataに応じて第１−第２電極間で電流が流れる導通状態となる。このため、図８において白抜きの矢印で示すように、有機ＥＬ素子１に対して電位Ｖdataに応じた電流が流れる。その結果、有機ＥＬ素子１が電位Ｖdataに応じた輝度で発光する。つまり、期間Ｐ６では、各画素から画素データ信号に応じた輝度の光が出射される。
【００８２】
ここで、有機ＥＬ素子１が発光する際の駆動トランジスタ２に関して、Ｖｇｓ，Ｖｄａｔａ，Ｖｔｈの間には、下式（１）が成立する。
【００８３】
【数１】
2008233353.tif 000003
【００８４】
上式（１）のａ，ｄは定数である。
【００８５】
また、駆動トランジスタ２の第１−２電極間（ドレイン−ソース間）で流れる電流をＩｄｓとすると、下式（２）が成立する。
【００８６】
【数２】
2008233353.tif 000004
【００８７】
有機ＥＬ素子１の発光輝度は、有機ＥＬ素子１を流れる電流の密度（電流密度）に略比例するため、図３で示した駆動波形を用いた制御により、各画素において所望の発光輝度が得られる。
【００８８】
また、発光期間Ｐ６では、上式（２）で示した電流Ｉｄｓによって一義的に決まる所定の電圧Ｖoledが、有機ＥＬ素子１に印加される。そして、駆動トランジスタＴｄの第２電極２ｓｄに対する第１電極２ｄｓの電位、すなわち第１−２電極間の電圧（以下「ドレイン電圧」とも称する）Ｖｄｓは、ＶＤＤ−Ｖoledとなる。
【００８９】
ここで、駆動トランジスタＴｄが例えばアモルファスシリコンを用いたＴＦＴである場合には、駆動トランジスタＴｄを線形領域、すなわちＶｇｓ−Ｖｔｈ＞Ｖｄｓの関係が成立するような条件で使用すると、電流制御が難しく、急速に閾値Ｖｔｈのシフト（Ｖｔｈシフト）が発生する可能性がある。なお、Ｖｔｈシフトとは、閾値Ｖｔｈが大きくなっていく現象であり、輝度の劣化を引き起こす。そこで、駆動トランジスタＴｄを飽和領域、すなわちＶｇｓ−Ｖｔｈ≦Ｖｄｓの関係が成立する条件で使用する必要がある。したがって、ＶＤＤ≧Ｖoled＋Ｖｇｓ−Ｖｔｈの関係が成立する、すなわち、Ｖoled＋Ｖｇｓ−Ｖｔｈが、有機ＥＬ素子１の発光に最低限必要な電源電圧（以下「必要電源電圧」とも称する）である。
【００９０】
＜Ｗ画素を利用した発光効率の向上＞
従来では、白（Ｗ）と同じ色度の光を表現するときの赤（Ｒ）緑（Ｇ）青（Ｂ）の光を発する各画素（Ｒ画素、Ｇ画素、Ｂ画素）の発光効率（単位［ｃｄ／Ａ］）の合算値よりも、Ｗ色の光を発する画素（Ｗ画素）の発光効率（単位［ｃｄ／Ａ］）のほうが常に良くなる技術が知られている。よって、各絵素をＲＧＢの３色の画素にＷ画素を加えて構成することで、Ｗ画素の発光を最大限に利用する技術が提案されている。
【００９１】
下表１に、Ｒ，Ｇ，Ｂ，Ｗ画素の最大発光輝度Ｙ、射出する光の色度（ＣＩＥ表色系の色度）の色度座標、および最大発光輝度における発光効率を例示する。
【００９２】
【表１】
2008233353.tif 000005
【００９３】
図９は、Ｒ，Ｇ，Ｂ，Ｗ画素の必要電源電圧（Ｖoled＋Ｖｇｓ−Ｖｔｈ）とＲＧＢＷの階調との関係を示す図である。なお、ここでは、Ｒ，Ｇ，Ｂ，Ｗ画素をそれぞれ最大輝度で発光させるための各色の階調を２５５階調としている。また、図９では、横軸がＲ，Ｇ，Ｂ，Ｗ画素の必要電源電圧、縦軸が各色の階調を示している。具体的には、Ｒ画素に係る必要電源電圧と階調との関係が曲線Ｌｒ（細線）、Ｇ画素に係る必要電源電圧と階調との関係が曲線Ｌｇ（太い破線）、Ｂ画素に係る必要電源電圧と階調との関係が曲線Ｌｂ（細い破線）、Ｗ画素に係る必要電源電圧と階調との関係が曲線Ｌｗ（太線）で示されている。
【００９４】
ここで、画像表示装置の白の色度が色度座標で（ｘ，ｙ）＝ (０．３１２７，０．３２９） 、ガンマ特性がγ＝２．２、ＲＧＢＷ画素からなる絵素の数が３２０×２４０であると、例えば、８ビットの階調でＷ画素を使用しないで白を表現しようとすると、Ｒの階調が２５５、Ｇの階調が２５５、Ｂの階調が２５５となる。以下、この階調により実現される白を「Ｗｓ」と表す。これに対して、同じ白を、Ｗ画素を最大限使用して表現すると、Ｒの階調が２１１、Ｇの階調が０、Ｂの階調が１０６、Ｗの階調が２５５となる。
【００９５】
図１０は、白（Ｗｓ）を表示する際に、Ｗ画素を全く使用しないＲＧＢＷ画素の組合せから、Ｗ画素を最大限使用するＲＧＢＷ画素の組合せまでについて、Ｗ画素の使用比率（すなわち、白色の輝度を占める、Ｗ画素の発光輝度の割合）とＲＧＢＷの各画素の発光輝度との関係を示した図である。図１０では、横軸がＷ画素の使用比率、縦軸が各色画素の発光輝度を示している。具体的には、Ｒ画素に係るＷ画素の使用比率と発光輝度との関係が曲線Ｐｒ（細線）、Ｇ画素に係るＷ画素の使用比率と発光輝度との関係が曲線Ｐｇ（太い破線）、Ｂ画素に係るＷ画素の使用比率と発光輝度との関係が曲線Ｐｂ（細い破線）、Ｗ画素に係るＷ画素の使用比率と発光輝度との関係が曲線Ｐｗ（太線）で示されている。
【００９６】
図１１は、白（Ｗｓ）を表示する際に、Ｗ画素を全く使用しないＲＧＢＷ画素の組合せから、Ｗ画素を最大限使用するＲＧＢＷ画素の組合せまでについて、Ｗ画素の使用比率と有機ＥＬディスプレイの全画素で流れる電流の合算値との関係を示した図である。図１１では、横軸がＷ画素の使用比率、縦軸が電流値を示している。
【００９７】
図１１で示すように、Ｗ画素を全く使用しない場合には、有機ＥＬディスプレイ全体で７７．５ｍＡの電流が流れ、Ｗ画素を最大限使用する場合には、有機ＥＬディスプレイ全体で６４．５ｍＡの電流が流れる。したがって、Ｗ画素を全く使用しない場合と比較して、Ｗ画素を最大限に使用する場合には、全有機ＥＬ素子に同じ電源電圧が付与されるのであれば、消費電力が約１６．７％（＝［７７．５−６４．５］／７７．５×１００％）削減される。
【００９８】
ところで、一般にカラーの画像データは、ＲＧＢの階調情報を含んでおり、Ｗ画素の発光を行うためには、ＲＧＢの階調をＲＧＢＷの階調に変換する必要性がある。この階調変換方法については、種々提案されているが（例えば、特開２００１−１４７６６６号公報、特開２００４−２９５０８６号公報、特開２００４−３３４１９９号公報、特開２００６−１３３７１１号公報、特開２００６−１６３０６７号公報、特開２００６−２６７１４８号公報、米国特許６８８５３８０号明細書、米国特許６８９７８７６号明細書など）、何れも本質的には行列演算を用いたものである。
【００９９】
以下、ＲＧＢの階調からＷ画素を最大限使用するＲＧＢＷの階調に変換する方法の一例について簡単に説明する。Ｒ，Ｇ，Ｂ，Ｗ画素の最大階調におけるＣＩＥ表色系のＸＹＺベクトルをそれぞれＡｒ，Ａｇ，Ａｂ，Ａｗとし、Ａｗ＝ρＡｒ＋γＡｇ＋βＡｂの関係を満たすρ，γ，βの組合せを求める。ここでは、Ａｒ，Ａｇ，Ａｂは独立のベクトルであるため、Ａｗ＝ρＡｒ＋γＡｇ＋βＡｂの関係を満たすρ，γ，βの組合せが必ず存在する。ここで、Ｒ，Ｇ，Ｂ，Ｗ画素の最大階調におけるＣＩＥ表色系のＸＹＺベクトルの輝度（Ｙ）をそれぞれＹｒ，Ｙｇ，Ｙｂ，Ｙｗとすると、Ｙｗ＝ρＹｒ＋γＹｇ＋βＹｂの関係が成立する。ρ，γ，βについては有機ＥＬディスプレイに固有の特性であるため、予め求めておくことができる。
【０１００】
そして、次に、任意の表示色のＲ，Ｇ，Ｂの各画素の輝度をＹｒ’，Ｙｇ’，Ｙｂ’とすると、Ｙｒ’／ （ρＹｒ）、 Ｙｇ’／（γＹｇ）、Ｙｂ’／ （βＹｂ）の中で最小のものを求め、これをωとする。ここで、Ｗ画素の輝度をωＹｗとすると、ωＹｗ＝ωρＹｒ＋ωγＹｇ＋ωβＹｂの関係が成立し、階調変換後のＲ，Ｇ，Ｂ画素の輝度は、Ｙｒ’−ωρＹｒ，Ｙｇ’−ωγＹｇ，Ｙｂ’−ωβＹｂとなる。このＲ，Ｇ，Ｂ画素の輝度は全てが０以上であり、且つ何れか１つが０となる。このような関係を満たすＷ画素の輝度ωＹｗを算出することで、Ｗ画素を最大限に使用するＲＧＢＷの階調を導出することができる。
【０１０１】
＜本願発明者が見出した問題点＞
Ｗ画素を最大限使用すると、有機ＥＬディスプレイ全体を流れる電流が、Ｗ画素に集中して流れるため、高い電圧が必要となる。例えば、図９で示したように、Ｗ画素において最大階調に応じた発光を行うための必要電源電圧（Ｖoled＋Ｖｇｓ−Ｖｔｈ）が１２．５Ｖと、他の色の画素に係る必要電源電圧よりも高い。
【０１０２】
この点について、従来提案されていた技術では、ＲＧＢＷ画素に対して一定の電源電圧が付与されるために、Ｗ画素を使用すればする程、消費電力の低減に有効であると考えられてきた。しかしながら、電流と電圧の両面から見ると、Ｗ画素を最大限使用することは、消費電力低減の効果に対して必ずしも最適でないことを、本願発明者は見出した。
【０１０３】
そこで、本願発明者は、発光効率の優れた色の発光素子を利用して低消費電力化を図る際に、発光効率以外のその他の要因を考慮して低消費電力化を適正に行うことが出来る画像表示装置およびその駆動方法を創出した。これについて以下に説明する。
【０１０４】
＜第１実施形態＞
＜画像表示装置の概略構成＞
図１２は、本発明の第１実施形態に係る画像表示装置の概略構成を例示する図である。なお、本実施形態では、第１の色としてＲ（赤）、第２の色としてＧ（緑）、第３の色としてＢ（青）、第４の色としてＲＧＢ以外の色、例えば白（Ｗ）を用いた場合の例について説明する。
【０１０５】
携帯電話機１０は、本体部１００と表示部２００とを備えた携帯可能な電子機器であり、動画や静止画などといった各種画像を表示部２００で表示する画像表示装置として機能する。このため、以下では、携帯電話機を適宜「画像表示装置」とも称する。
【０１０６】
本体部１００は、通信機能やバッテリーなどの給電機能や操作部などを備える。
【０１０７】
表示部２００は、例えば、略長方形の輪郭を有する有機ＥＬディスプレイ（organic electroluminescence display）と、本体部１００より供給される各種信号が入力されるドライバ手段とを備えて構成される。有機ＥＬディスプレイは、有機材料に電流を流すことで材料自らが発光する自発光型の発光素子を有する自発光型画像表示装置である。
【０１０８】
また、有機ＥＬディスプレイは、発光輝度に対応するデータ信号（画素データ信号）を各画素に供給するための画像信号線と、当該画像信号線に対して略直交するように設けられ、各画素に走査信号を供給するための走査信号線とを有する。なお、走査信号は、各画素に画像信号線を介して画素データ信号を供給するタイミングを制御する信号である。
【０１０９】
一方、ドライバ手段は、画像信号線に対して電気的に接続され、画素信号を画像信号線に供給するタイミングを制御するＸドライバ（画像信号線駆動回路）と、走査信号線に対して電気的に接続され、走査信号を走査信号線に供給するタイミングを制御するＹドライバ（走査信号線駆動回路）とを備える。例えば、携帯電話機１では、Ｘドライバは有機ＥＬディスプレイの短辺に沿って配置され、Ｙドライバは有機ＥＬディスプレイの長辺に沿って配置される。
【０１１０】
＜画像表示装置の機能構成＞
図１３は、画像表示装置１０の機能構成を例示するブロック図である。
【０１１１】
本体部１００は、送受信部１１０、バッテリー１２０、および操作部１３０を備えて構成される。
【０１１２】
送受信部１１０は、無線回線を介して音声データや画像データ（ＲＧＢの３色に係る画像データＤ０）などといった各種データを外部装置との間で送受信するものである。バッテリー１２０は、本体部１００に対して着脱自在に構成され、画像表示装置１０の各部に対して電力を供給するものである。バッテリー１２０としては、例えば、リチウムイオン電池などといった充電式の蓄電池などが挙げられる。操作部１３０は、数字や文字や選択指示などを示す各種情報を入力する操作ボタンを備えて構成されるものである。
【０１１３】
表示部２００は、制御部２１０、画像信号線駆動回路２２０、走査信号線駆動回路２３０、および電源回路２４０を備えて構成される。
【０１１４】
制御部２１０は、例えば、各種回路やＣＰＵやＲＯＭやＲＡＭなどを備え、ＲＯＭなどの記憶媒体に格納されたプログラムをＣＰＵが実行することで、表示部２００の動作に係る各種機能や制御を実現する。例えば、制御部２１０は、送受信部１１０から送られてくる画像データＤ０を受け付けて、当該画像データＤ０に基づく画像を有機ＥＬディスプレイにおいて表示するように制御する。
【０１１５】
より詳細には、制御部２１０は、画像データＤ０に含まれるＲＧＢの３色に関する階調（以下、それぞれ「Ｒ階調」「Ｇ階調」「Ｂ階調」とも称するとともに、「ＲＧＢ階調」と総称する）の情報、すなわちＲ，Ｇ，Ｂ階調の組合せから、所定の算出ルールに基づいて、ＲＧＢＷの４色に関する階調（以下、「ＲＧＢＷ階調」と総称し、Ｗ色の階調を「Ｗ階調」と称する）の組合せを算出する。そして、当該ＲＧＢＷ階調の情報に基づいて、画像が有機ＥＬディスプレイにおいて表示される。なお、ＲＧＢ階調からＲＧＢＷ階調への階調変換処理は、消費電力を低減するための所定のルールに基づいて行われるが、この点については更に後述する。
【０１１６】
画像信号線駆動回路２２０は、有機ＥＬディスプレイに配設された画像信号線に対して画素データ信号を供給するタイミングを制御するものである。また、走査信号線駆動回路２３０は、有機ＥＬディスプレイに配設された走査信号線に対して走査信号を供給するタイミングを制御するものである。画像信号線駆動回路２２０、および走査信号線駆動回路２３０の動作は、制御部２１０からの信号によって制御される。
【０１１７】
電源回路２４０は、バッテリー１２０から供給される電力を、制御部２１０からの制御信号に基づいて、有機ＥＬディスプレイの各画素に対して供給するものである。
【０１１８】
＜表示部の概略構成＞
図１４は、表示部２００の機能構成の概略を示すブロック図である。なお、図１４では、方位関係を明確化するために直交するＸＹの２軸が付されている。
【０１１９】
表示部２００は、有機ＥＬディスプレイＡＡ、制御部２１０、画像信号線駆動回路２２０、走査信号線駆動回路２３０、および電源回路２４０を備える。そして、制御部２１０には、タイミング発生回路ＴＣが含まれる。
【０１２０】
有機ＥＬディスプレイＡＡには、多数の画素回路７が縦方向（Ｙ方向）ならびに横方向（Ｘ方向）に沿ってマトリックス状（すなわち格子状）に配列されている。この画素回路７の構成および動作については、上述した基礎技術に係る画素回路７と同様であるため、ここでは、同じ符号を付して説明を省略する。そして、Ｙ方向に平行な画素回路７の列ごとに画像信号線Ｌｉｓがそれぞれ設けられ、各画像信号線Ｌｉｓが複数の画素回路７に対して電気的に共通に接続される。また、Ｘ方向に平行な画素回路７の行ごとに、走査信号線Ｌｓｓがそれぞれ設けられ、各走査信号線Ｌｓｓが複数の画素回路７に対して電気的に共通に接続される。また、画素回路７は、複数の画素が配列された表示部２００の輝度を画素ごとに制御するものである。
【０１２１】
また、有機ＥＬディスプレイＡＡでは、複数の絵素がマトリックス状に配列される。絵素は、４つの画素Ｒ，Ｇ，Ｂ，Ｗ画素によって構成される。また、Ｒ，Ｇ，Ｂ，Ｗ画素には、それぞれ、Ｒ，Ｇ，Ｂ，Ｗの色の光を発する有機ＥＬ素子１が含まれる。
【０１２２】
以下、Ｒ，Ｇ，Ｂ，Ｗ画素の４種類の画素の特性については、上表１の特性を有するものとして説明する。また、有機ＥＬ素子１と有機ＥＬ素子１に直列接続される駆動トランジスタ２とで構成される部分（図１の一点鎖線で囲まれた部分）を発光素子回路５と称する。なお、本発明における第１の発光素子回路とは、第１の発光素子及び第１の発光素子に直列接続される第１の駆動トランジスタからなる回路、第２の発光素子回路とは、第２の発光素子及び第２の発光素子に直列接続される第２の駆動トランジスタからなる回路、第３の発光素子回路とは、第３の発光素子及び第３の発光素子に直列接続される第３の駆動トランジスタからなる回路、第４の発光素子回路とは、第４の発光素子及び第４の発光素子に直列接続される第４の駆動トランジスタからなる回路のことをいう。また本実施形態において、各発光素子回路５に印加される電源電圧（すなわち電位ＶＤＤ）は所定値（例えば約１１．４Ｖ）であるものとする。
【０１２３】
タイミング発生回路ＴＣは、本体部１００から送られてくる画像データＤ０に同期させて、画像信号線駆動回路２２０から各画像信号線Ｌｉｓに対する画素信号の供給タイミングを制御する信号を画像信号線駆動回路２２０に対して送出する一方、走査信号線駆動回路２３０から各走査信号線Ｌｓｓに対する走査信号の供給タイミングを制御する信号を走査信号線駆動回路２３０に対して送出する。
【０１２４】
画像信号線駆動回路２２０は、タイミング発生回路ＴＣからの信号に応答して、画像信号線Ｌｉｓに対して画素信号を供給する。一方、走査信号線駆動回路２３０は、タイミング発生回路ＴＣからの信号に応答して、走査信号線Ｌｓｓに対して走査信号を供給する。このようなタイミング発生回路ＴＣの制御により、画像信号線Ｌｉｓを介して各画素回路７に画素データ信号が適宜供給される。
【０１２５】
電源回路２４０は、制御部２１０の制御下で、各画素回路７に対して発光などに要する電力を供給する。
【０１２６】
＜低消費電力化を図るための階調変換処理＞
＜階調変換処理の考え方＞
○白色表示の場合：
図１５は、白色（Ｗｓ）を表示する際における、Ｗ画素を全く使用しないＲＧＢＷ画素の組合せから、Ｗ画素を最大限使用するＲＧＢＷ画素の組合せまでについて、Ｗ画素の使用比率とＲ，Ｇ，Ｂ，Ｗ画素の必要電源電圧（Ｖoled＋Ｖｇｓ−Ｖｔｈ）との関係を示した図である。図１５では、横軸がＷ画素の使用比率、縦軸がＲ，Ｇ，Ｂ，Ｗ画素の必要電源電圧を示している。具体的には、Ｗ画素の使用比率とＲ画素の必要電源電圧との関係が曲線Ｖ１ｒ（細線）、Ｗ画素の使用比率とＧ画素の必要電源電圧との関係が曲線Ｖ１ｇ（太い破線）、Ｗ画素の使用比率とＢ画素の必要電源電圧との関係が曲線Ｖ１ｂ（細い破線）、Ｗ画素の使用比率とＷ画素の必要電源電圧との関係が曲線Ｖ１ｗ（太線）で示されている。
【０１２７】
ここで、有機ＥＬディスプレイＡＡ全体としての必要電源電圧は、下記（Ｉ）（II）の条件を満たさなければならない。
【０１２８】
（Ｉ）Ｒ，Ｇ，Ｂ画素では、ＲＧＢの単色表示で最大階調に応じた発光を行うため、有機ＥＬディスプレイＡＡ全体としての必要電源電圧は、Ｒ，Ｇ，Ｂ画素に係る各必要電源電圧の最大値以上である。
【０１２９】
（II）有機ＥＬディスプレイＡＡ全体としての必要電源電圧は、Ｒ，Ｇ，Ｂ，Ｗ画素の必要電源電圧の中における最大値以上である。
【０１３０】
図１５では、上記（Ｉ）（II）の条件を満たす、有機ＥＬディスプレイＡＡ全体としての必要電源電圧が、Ｗ画素の使用比率が０〜０．７５付近ではＢ画素の必要電源電圧の最大値（ここでは、約１１．４Ｖ）に対応する値（図中の一点鎖線）となり、Ｗ画素の使用比率が０．７５付近〜１ではＷ画素の必要電源電圧と等価な値となる。
【０１３１】
図１６は、白色（Ｗｓ）を表示する際におけるＷ画素の使用比率と消費電力との関係を示した図である。ここでは、各Ｗ画素の使用比率について、図１５で示した有機ＥＬディスプレイＡＡ全体としての必要電源電圧と、図１１で示す電流との積を消費電力としている。
【０１３２】
図１１で示した電流は、Ｗ画素の使用比率が１のときに最小になるにも拘わらず、図１６で示すように、消費電力が最小となるのは、Ｗ画素の使用比率が０．７５のときである。なお、この消費電力の最小値、すなわち、Ｗ画素の使用比率が０．７５のときの消費電力は７７４ｍＷ、Ｗ画素の使用比率が０のときの消費電力は８８６ｍＷ、Ｗ画素の使用比率が１のときの消費電力は８０９ｍＷである。
【０１３３】
このように、必要電源電圧を考慮して、電圧と電流との積が最小となるＲ，Ｇ，Ｂ，Ｗ画素の発光輝度の比率が採用されると、消費電力が低減される。
【０１３４】
○有彩色表示の場合：
図１７は、白色でない有彩色を表示する際における、Ｗ画素の使用比率とＲ，Ｇ，Ｂ，Ｗ画素の必要電源電圧（Ｖoled＋Ｖｇｓ−Ｖｔｈ）との関係を示した図である。なお、ここでの有彩色は、Ｒ色の階調が１５０、Ｇ色の階調が２５５、Ｂ色の階調が２５５からなるものであり、以下、この階調により実現される色を「Ｘｓ」と表す。図１７では、図１５と同様に、横軸がＷ画素の使用比率、縦軸がＲ，Ｇ，Ｂ，Ｗ画素の必要電源電圧を示している。具体的には、Ｗ画素の使用比率とＲ画素の必要電源電圧との関係が曲線Ｖ２ｒ（細線）、Ｗ画素の使用比率とＧ画素の必要電源電圧との関係が曲線Ｖ２ｇ（太い破線）、Ｗ画素の使用比率とＢ画素の必要電源電圧との関係が曲線Ｖ２ｂ（細い破線）、Ｗ画素の使用比率とＷ画素の必要電源電圧との関係が曲線Ｖ２ｗ（太線）で示されている。
【０１３５】
また、図１７では、上記（Ｉ）（II）の条件を満たす、有機ＥＬディスプレイＡＡ全体としての必要電源電圧が、Ｗ画素の使用比率が０〜０．８３付近ではＢ画素の必要電源電圧の最大値に対応する値（図中の一点鎖線）となり、Ｗ画素の使用比率が０．８３付近〜１ではＷ画素の必要電源電圧と等価な値となる。
【０１３６】
図１８は、有彩色（Ｘｓ）を表示する際におけるＷ画素の使用比率と消費電力との関係を示した図である。ここでは、各Ｗ画素の使用比率について、図１７で示した有機ＥＬディスプレイＡＡ全体としての必要電源電圧と、図１１で示す電流との積を消費電力としている。
【０１３７】
図１１で示した電流は、Ｗ画素の使用比率が１のときに最小になるにも拘わらず、図１８で示すように、消費電力が最小となるのは、Ｗ画素の使用比率が０．８３のときである。なお、この消費電力の最小値、すなわちＷ画素の使用比率が０．８３のときの消費電力は５１７ｍＷ、Ｗ画素の使用比率が０のときの消費電力は６１１ｍＷ、Ｗ画素の使用比率が１のときの消費電力は５３２ｍＷである。
【０１３８】
任意の有彩色を表示する場合も、白色を表示する場合と同様に、必要電源電圧を考慮して、電圧と電流との積が最小となるＲ，Ｇ，Ｂ，Ｗ画素の発光輝度の比率が採用されると、消費電力が低減されることがわかる。
【０１３９】
図１５から図１８で示したように、Ｗ画素の使用比率が所定値（例えば、約０．７５や約０．８３）未満の場合には、Ｒ，Ｇ，Ｂ画素の必要電源電圧の最大値の方が、Ｗ画素の必要電源電圧よりも大きい。一方、Ｗ画素の使用比率が所定値（例えば、約０．７５や約０．８３）以上の場合には、Ｗ画素の必要電源電圧が、Ｒ，Ｇ，Ｂ画素の必要電源電圧の最大値以上の値となる。そして、Ｗ画素の使用比率が当該所定値にある場合に、消費電力が最小となる。
【０１４０】
本願発明者は、上記特性を見出して、Ｒ，Ｇ，Ｂ画素を最大階調に応じて発光させるのに必要な電源電圧、すなわち、Ｒ，Ｇ，Ｂ画素の必要電源電圧の最大値を、有機ＥＬディスプレイＡＡの電源電圧として、Ｗ画素の使用比率は上記所定値（例えば、約０．７５や約０．８３）を超えないようにすることで、消費電力を抑制することを考え出した。
【０１４１】
但し、Ｒ，Ｇ，Ｂ画素を最大階調に応じて発光させるのに必要な電源電圧を有機ＥＬディスプレイＡＡの電源電圧とすると、一般に、Ｗ画素の必要電源電圧の最大値は、Ｒ，Ｇ，Ｂ画素の必要電源電圧の最大値よりも大きいため、Ｗ画素を最大階調に応じて発光させることができない。つまり、Ｗ画素は、最大階調よりも小さく且つ有機ＥＬディスプレイＡＡの電源電圧に対応する所定階調以下に応じた発光のみ可能となる。
【０１４２】
例えば、Ｒ，Ｇ，Ｂ画素の必要電源電圧のうち、Ｂ画素の必要電源電圧が最も高く、有機ＥＬディスプレイＡＡの電源電圧をＢ画素の必要電源電圧に合わせた場合、８ビットで階調を表す場合には、Ｗ画素は、所定階調（ここでは２２３階調）までしか出力させることができない。なお、２２３階調よりも大きな階調に応じた発光を行おうとしても所望の輝度が発現せず、また駆動トランジスタが線形領域で使用されることになり、画素の寿命が短くなってしまう。
【０１４３】
図１９は、有機ＥＬディスプレイＡＡの電源電圧をＢ画素の必要電源電圧の最大値に合わせた場合における無彩色の階調（無彩色階調）と、Ｒ，Ｇ，Ｂ，Ｗ階調との関係を示す図である。図１９では、横軸が無彩色階調、縦軸がＲ，Ｇ，Ｂ，Ｗ階調を示している。具体的には、無彩色階調とＲ階調との関係が曲線Ｔｒ（細線）、無彩色階調とＧ階調との関係が曲線Ｔｇ（太い破線）、無彩色階調とＢ階調との関係が曲線Ｔｂ（細い破線）、無彩色階調とＷ階調との関係が曲線Ｔｗ（太線）で示されている。
【０１４４】
図１９で示すように、Ｗ階調は、無彩色階調に比例して増大して２２３階調に達するが、無彩色階調が２２３階調以上となると、無彩色階調が増大してもＷ階調は増大せず、一定となる。一方、無彩色階調が２２３階調以上となると、Ｇ画素の発光も用いられるようになり、無彩色階調の増大に伴ってＧ階調が増大する。
【０１４５】
上述のように、本願発明者が考え出した階調変換処理を実現するための構成について、以下説明する。なお、この階調変換処理では、Ｒ，Ｇ，Ｂ画素の必要電源電圧の最大値を有機ＥＬディスプレイＡＡの電源電圧とし、Ｗ画素の使用比率として０よりも大きく１未満の値を採用することで消費電力が抑制される。
【０１４６】
＜階調変換処理に係る機能構成＞
ここでは、電源回路２４０などの構成により、有機ＥＬディスプレイＡＡの電源電圧が、Ｂ画素の必要電源電圧の最大値（約１１．４Ｖ）に設定されているものとする。すなわち、Ｒ，Ｇ，Ｂ，Ｗ画素の発光素子回路に印加される電源電圧が、Ｗ画素の発光素子を最大階調に応じて発光させる際に必要な電源電圧、すなわちＷ画素の必要電源電圧の最大値よりも相対的に低い値に設定されている。このため、Ｗ階調が、図１９で示したように、常に所定階調（図１９では２２３階調）以下となるように設定されている。
【０１４７】
図２０は、制御部２１０において実行されるＲＧＢ階調からＲＧＢＷ階調への階調変換処理に係る機能構成を示す図である。制御部２１０は、例えば、内蔵するＲＯＭ内などに格納されたプログラムを、内蔵するＣＰＵで読み込んで実行することで、変換部ＴＰの機能を実現する。
【０１４８】
ラインバッファＬＢは、制御部２１０内に設けられ、本体部１００から入力されてくるＲＧＢの３色に係る画像データＤ０に関し、各色の１ライン分の画素データを一時的に記憶するものである。なお、図２０では、８ビットの階調に係るラインバッファが例示されている。ここで、画像データＤ０は、ＲＧＢの３色に対応するＲ，Ｇ，Ｂ階調の情報を含み、ラインバッファＬＢにおいて受け付けられる。
【０１４９】
ＲＧＢ−ＲＧＢＷ変換テーブルＴＢは、それぞれ、ＲＧＢ階調をＲＧＢＷ階調に変換するための算出ルールを示す情報が格納されたデータテーブルであり、例えば、内蔵するＲＯＭ内などに予め格納して準備される。
【０１５０】
このＲＧＢ−ＲＧＢＷ変換テーブルＴＢは、多数のＲ，Ｇ，Ｂ階調の組合せに対してそれぞれＲ，Ｇ，Ｂ，Ｗ階調の組合せが関連づけられた形式を有する。より詳細には、ＲＧＢ−ＲＧＢＷ変換テーブルＴＢは、Ｒ，Ｇ，Ｂ階調の各組合せに対して、消費電力が最小となるようなＲ，Ｇ，Ｂ，Ｗ階調の組合せが関連付けられたデータテーブルとなっている。
【０１５１】
このＲＧＢ−ＲＧＢＷ変換テーブルＴＢについては、予め、８ビットのＲ，Ｇ，Ｂ階調の全組合せに対して、当該Ｒ，Ｇ，Ｂ階調の各組合せに係る色度・輝度と同じ色度・輝度が実現されるＲ，Ｇ，Ｂ，Ｗ階調の組合せのうち、Ｗ画素の必要電源電圧がＢ画素の必要電源電圧の最大値（ここでは１１．４Ｖ）以下となるような範囲内で、Ｗ画素の使用比率が出来るだけ大きくなるようなＲ，Ｇ，Ｂ，Ｗ階調を算出して、関連付けることで生成することができる。
【０１５２】
但し、Ｒ，Ｇ，Ｂ階調からＲ，Ｇ，Ｂ，Ｗ階調への変換は、非線形であるため、所定ビット数（ここでは８ビット）で表されるＲ，Ｇ，Ｂ階調を、同一ビット数（ここでは８ビット）で表されるＲ，Ｇ，Ｂ，Ｗ階調へ変換すると、色の再現性すなわち画質の劣化を招く。そこで、ＲＧＢ−ＲＧＢＷ変換テーブルＴＢを、例えば、８ビットで表されるＲ，Ｇ，Ｂ階調と、８ビットよりも細かい階調表現が可能な１０ビットで表されるＲ，Ｇ，Ｂ，Ｗ階調とが関連付けられたものとしておく。
【０１５３】
変換部ＴＰは、ＲＧＢ−ＲＧＢＷ変換テーブルＴＢを参照することで、画像データＤ０に係る各絵素のＲ，Ｇ，Ｂ階調を、Ｒ，Ｇ，Ｂ，Ｗ階調に変換するものである。
【０１５４】
具体的には、変換部ＴＰは、以下の（手順１）〜（手順３）により、消費電力が最小となるようなＲ，Ｇ，Ｂ，Ｗ階調の組合せを導出する。
【０１５５】
（手順１）ラインバッファＬＢでＲＧＢの３色に係るＲ，Ｇ，Ｂ階調の情報を含む画像データＤ０を受け付ける。
【０１５６】
（手順２）ＲＧＢ−ＲＧＢＷ変換テーブルＴＢに従って、ラインバッファＬＢで受け付けた各絵素に係るＲ，Ｇ，Ｂ階調の組合せから、Ｒ，Ｇ，Ｂ，Ｗ階調の組合せを導出する。より詳細には、ラインバッファＬＢで受け付けられた各絵素に係る８ビットで表現されたＲ，Ｇ，Ｂ階調の組合せから、ＲＧＢ−ＲＧＢＷ変換テーブルＴＢで関連付けられた１０ビットで表現されるＲ，Ｇ，Ｂ，Ｗ階調の組合せを導出する。
【０１５７】
（手順３）手順２で導出された１０ビットで表現されたＲ，Ｇ，Ｂ，Ｗ階調の情報を含む画像データを、画像信号線駆動回路（Ｘドライバ）２２０に対して出力する。
【０１５８】
そして、画像信号線駆動回路２２０により、変換後のＲ，Ｇ，Ｂ，Ｗ階調の組合せに応じた画素データ信号、すなわち電位Ｖdataが画像信号線Ｌｉｓに印加され、各絵素において、変換後のＲ，Ｇ，Ｂ，Ｗ階調に応じた画素の発光が行われる。つまり、制御部２１０の制御により、変換部ＴＰで導出されたＲ，Ｇ，Ｂ，Ｗ階調の各組合せに基づいて、各絵素に係るＲ，Ｇ，Ｂ，Ｗ画素の発光素子が発光する。
【０１５９】
以上のように、本発明の第１実施形態に係る画像表示装置１０では、Ｒ，Ｇ，Ｂ階調の各組合せに対して、Ｒ，Ｇ，Ｂ，Ｗ階調の組合せを関連付けた変換情報（ここではＲＧＢ−ＲＧＢＷ変換テーブルＴＢ）を予め準備しておく。そして、Ｒ，Ｇ，Ｂ階調の情報を含む画像データＤ０を受け付けて、ＲＧＢ−ＲＧＢＷ変換テーブルＴＢに従って、画像データに含まれるＲ，Ｇ，Ｂ階調の情報から導出されるＲ，Ｇ，Ｂ，Ｗ階調の組合せに基づいて、Ｒ，Ｇ，Ｂ，Ｗ画素の発光素子をそれぞれ発光させる。そして、Ｒ，Ｇ，Ｂ，Ｗ画素の発光素子回路に印加される電源電圧は、Ｗ画素の発光素子を最大階調に応じて発光させる際に必要な電圧よりも相対的に低く設定される。このため、発光効率の優れたＷ色の発光素子を利用して低消費電力化を図る際に、発光効率以外のその他の要因（ここでは、電源電圧）を考慮してＷ画素を最大限利用する場合に比し、画像表示装置の消費電力をより低減させることが出来る。
【０１６０】
また、電源電圧が、Ｒ，Ｇ，Ｂ画素の発光素子をそれぞれ最大階調に応じて発光させる際に必要な電圧の最大値以上の値に設定されるため、Ｒ，Ｇ，Ｂ階調の最大階調に応じたＲ，Ｇ，Ｂ色の単色発光が可能な範囲で、電源電圧の抑制による低消費電力化を行うことができる。
【０１６１】
また、ＲＧＢ−ＲＧＢＷ変換テーブルＴＢに係るＲ，Ｇ，Ｂ，Ｗ階調の組合せにおいて、Ｗ階調が、最大階調よりも低く且つ電源電圧に対応する所定階調以下となるように設定される。このため、電源電圧の抑制による低消費電力化を行うことができる。
【０１６２】
特に、ＲＧＢ−ＲＧＢＷ変換テーブルＴＢが、Ｒ，Ｇ，Ｂ階調の各組合せに対して、消費電力が最小となるようなＲ，Ｇ，Ｂ，Ｗ階調の組合せが関連付けられた情報とされることで、低消費電力化をより適正に行うことが出来る。
【０１６３】
＜第２実施形態＞
上記第１実施形態に係る画像表示装置１０では、Ｒ，Ｇ，Ｂ階調の各組合せに対して、消費電力が最小となるようなＲ，Ｇ，Ｂ，Ｗ階調の組合せが関連付けられたＲＧＢ−ＲＧＢＷ変換テーブルＴＢを予め準備しておき、入力されてきたＲ，Ｇ，Ｂ階調を、ＲＧＢ−ＲＧＢＷ変換テーブルＴＢに従って、Ｒ，Ｇ，Ｂ，Ｗ階調に変換した。これに対して、第２実施形態に係る画像表示装置１０Ａでは、Ｒ，Ｇ，Ｂ，Ｗの各色に関して、階調と電圧との関係を記憶した電圧テーブル（本発明の第１から第４の階調電圧データに相当）と、階調と電流との関係を記憶した電流テーブル（本発明の第１から第４の階調電流データに相当）とを予め準備しておき、電圧テーブルおよび電流テーブルを参照することで、最も消費電力が低くなるように、入力されてきたＲ，Ｇ，Ｂ階調を、Ｒ，Ｇ，Ｂ，Ｗ階調に変換する。
【０１６４】
第２実施形態に係る画像表示装置１０Ａは、第１実施形態に係る画像表示装置１０と比較して、階調変換処理の内容、具体的には、階調変換処理に使用するデータテーブルの内容と、階調変換処理の機能が異なるが、その他の構成については同様なものとなる。したがって、第２実施形態に係る画像表示装置１０Ａのうち、第１実施形態に係る画像表示装置１０と同様な構成については同じ符号を付して説明を省略しつつ、以下、第１実施形態に係る画像表示装置１０と異なる構成について主に説明する。
【０１６５】
図２１は、第２実施形態に係る画像表示装置１０Ａのうち、表示部２００Ａに含まれる制御部２１０Ａにおいて実行されるＲＧＢ階調からＲＧＢＷ階調への階調変換処理に係る機能構成を示す図である。制御部２１０Ａは、内蔵するＲＯＭ内などに格納されたプログラムを、内蔵するＣＰＵで読み込んで実行することで、電力算出変換部ＣＰの機能を実現する。
【０１６６】
ラインバッファＬＢは、第１実施形態のものと同様であり、ＲＧＢの３色に係るＲ，Ｇ，Ｂ階調の情報を含む画像データＤ０を受け付ける受付手段として機能するものである。
【０１６７】
Ｒ電圧テーブルＴＲｅは、Ｒ階調と必要電源電圧とを対応付けたデータテーブルであり、Ｇ電圧テーブルＴＧｅは、Ｇ階調と必要電源電圧とを対応付けたデータテーブルであり、Ｂ電圧テーブルＴＢｅは、Ｂ階調と必要電源電圧とを対応付けたデータテーブルであり、Ｗ電圧テーブルＴＷｅは、Ｗ階調と必要電源電圧とを対応付けたデータテーブルである。また、Ｒ電流テーブルＴＲｉは、Ｒ階調とＲ画素を流れる電流とを対応付けたデータテーブルであり、Ｇ電流テーブルＴＧｉは、Ｇ階調とＧ画素を流れる電流とを対応付けたデータテーブルであり、Ｂ電流テーブルＴＢｉは、Ｂ階調とＢ画素を流れる電流とを対応付けたデータテーブルであり、Ｗ電流テーブルＴＷｉは、Ｗ階調とＷ画素を流れる電流とを対応付けたデータテーブルである。
【０１６８】
Ｒ，Ｇ，Ｂ，Ｗ電圧テーブルＴＲｅ，ＴＧｅ，ＴＢｅ，ＴＷｅおよびＲ，Ｇ，Ｂ，Ｗ電流テーブルＴＲｉ，ＴＧｉ，ＴＢｉ，ＴＷｉは、例えば、制御部２１０Ａに内蔵されるＲＯＭなどの所定の記憶媒体（記憶手段）に格納される。
【０１６９】
図２２(ａ)は、Ｒ電圧テーブルＴＲｅのデータ内容を例示する図であり、図２２(ｂ)は、Ｒ電流テーブルＴＲｉのデータ内容を例示する図である。
【０１７０】
図２２(ａ)で示すように、Ｒ電圧テーブルＴＲｅは、Ｒ画素について、８ビットの階調表現、すなわち最低階調（０）〜最大階調（２５５階調）に対してそれぞれ必要電源電圧が対応付けられたデータテーブルとなっている。Ｇ，Ｂ，Ｗ電圧テーブルＴＧｅ，ＴＢｅ，ＴＷｅについても、同様に、最低階調（０）〜最大階調（２５５階調）に対してそれぞれ必要電源電圧が対応付けられたデータテーブルとなっている。なお、Ｒ，Ｇ，Ｂ，Ｗ電圧テーブルＴＲｅ，ＴＧｅ，ＴＢｅ，ＴＷｅについては、図９で示したような各色の階調と必要電源電圧との関係を予め測定しておき、当該測定値から生成可能である。
【０１７１】
また、図２２(ｂ)で示すように、Ｒ電流テーブルＴＲｉは、Ｒ画素について、８ビットの階調表現、すなわち最低階調（０）〜最大階調（２５５階調）に対してそれぞれ、各階調に応じた発光を行う際にＲ画素の発光素子において流れる電流が対応付けられたデータテーブルとなっている。Ｇ，Ｂ，Ｗ電流テーブルＴＧｉ，ＴＢｉ，ＴＷｉについても、同様に、最低階調（０）〜最大階調（２５５階調）に対してそれぞれ各色画素の発光素子において流れる電流が対応付けられたデータテーブルとなっている。なお、Ｒ，Ｇ，Ｂ，Ｗ電流テーブルＴＲｉ，ＴＧｉ，ＴＢｉ，ＴＷｉについては、各色画素について、階調と発光素子を流れる電流との関係を予め測定しておき、当該測定値から生成可能である。
【０１７２】
ＲＧＢ−ＲＧＢＷ算出ルールＲＴは、例えば、制御部２１０Ａに内蔵されるＲＯＭなどの所定の記憶媒体に格納され、Ｒ，Ｇ，Ｂ階調の組合せから、同じ色度・輝度を実現するためのＲ，Ｇ，Ｂ，Ｗ階調の組合せを算出するためのルールを示す情報である。なお、上述したように、Ｗ画素の使用比率を変化させることで、同じ色度・輝度を複数のＲ，Ｇ，Ｂ，Ｗ階調によって実現することができるが、このＲＧＢ−ＲＧＢＷ算出ルールＲＴは、Ｒ，Ｇ，Ｂ階調の組合せから、Ｗ画素の使用比率を変化させつつ、同じ色度・輝度を実現することができる複数のＲ，Ｇ，Ｂ，Ｗ階調の組合せを算出するためのルールとなっている。
【０１７３】
このＲＧＢ−ＲＧＢＷ算出ルールＲＴの具体例としては、Ｒ，Ｇ，Ｂ階調の組合せと複数のＲ，Ｇ，Ｂ，Ｗ階調の組合せとを対応付けたデータテーブルや、所定のＲ，Ｇ，Ｂ階調の組合せをＷ階調の１階調に換算して、Ｒ，Ｇ，Ｂ階調の組合せから複数のＲ，Ｇ，Ｂ，Ｗ階調の組合せが算出されるような演算ルールなどが挙げられる。
【０１７４】
ここでは、上述したような、ＲＧＢ−ＲＧＢＷ算出ルールＲＴと、Ｒ，Ｇ，Ｂ，Ｗ電圧テーブルＴＲｅ，ＴＧｅ，ＴＢｅ，ＴＷｅと、Ｒ，Ｇ，Ｂ，Ｗ電流テーブルＴＲｉ，ＴＧｉ，ＴＢｉ，ＴＷｉとを制御部２１０Ａ内のＲＯＭ等に予め格納して準備しておく。
【０１７５】
電力算出変換部ＣＰは、本発明の導出手段及び認識手段として機能するものである。かかる電力算出変換部ＣＰは、ＲＧＢ−ＲＧＢＷ算出ルールＲＴ、Ｒ，Ｇ，Ｂ，Ｗ電圧テーブルＴＲｅ，ＴＧｅ，ＴＢｅ，ＴＷｅ、およびＲ，Ｇ，Ｂ，Ｗ電流テーブルＴＲｉ，ＴＧｉ，ＴＢｉ，ＴＷｉを参照しつつ、消費電力が最小となるように、画像データＤ０に係る各絵素のＲ，Ｇ，Ｂ階調の組合せを、Ｒ，Ｇ，Ｂ，Ｗ階調の組合せに変換するものである。
【０１７６】
具体的には、電力算出変換部ＣＰは、各絵素について以下の（手順ｉ）〜（手順iv）を行うことで、消費電力が最小となるようなＲ，Ｇ，Ｂ，Ｗ階調の組合せを生成する。
【０１７７】
（手順ｉ）ラインバッファＬＢでＲＧＢの３色に係るＲ，Ｇ，Ｂ階調の情報を含む画像データＤ０を受け付ける。
【０１７８】
（手順ii）ＲＧＢ−ＲＧＢＷ算出ルールＲＴに従って、ラインバッファＬＢで受け付けた各絵素に係るＲ，Ｇ，Ｂ階調の組合せから、Ｒ，Ｇ，Ｂ，Ｗ階調の複数の組合せを導出する。
【０１７９】
（手順iii）Ｒ，Ｇ，Ｂ，Ｗ電圧テーブルＴＲｅ，ＴＧｅ，ＴＢｅ，ＴＷｅと、Ｒ，Ｇ，Ｂ，Ｗ電流テーブルＴＲｉ，ＴＧｉ，ＴＢｉ，ＴＷｉとを参照することで、手順iiで導出されたＲ，Ｇ，Ｂ，Ｗ階調の複数の組合せのうち、消費電力が最も小さくなるＲ，Ｇ，Ｂ，Ｗ階調の組合せを認識する。当該認識処理は、例えば、手順iiで導出されたＲ，Ｇ，Ｂ，Ｗ階調の複数の組合せの全てについて、各色画素に対応する電流と電圧との積の総和を消費電力として算出して、消費電力が最小となるＲ，Ｇ，Ｂ，Ｗ階調の組合せを算出することで実現される。このとき、併せて、認識されたＲ，Ｇ，Ｂ，Ｗ階調による発光を実現する際に必要な電源電圧（必要電源電圧）についても算出しておく。
【０１８０】
（手順iv）手順iiiで認識されたＲ，Ｇ，Ｂ，Ｗ階調の組合せを示す情報を含む画像データを、画像信号線駆動回路（Ｘドライバ）２２０に対して出力するとともに、手順iiiで併せて算出された必要電源電圧を示す情報を電源回路２４０に対して出力する。
【０１８１】
そして、画像信号線駆動回路２２０により、変換後のＲ，Ｇ，Ｂ，Ｗ階調の組合せに応じた画素データ信号、すなわち電位Ｖdataが画像信号線Ｌｉｓに印加されるとともに、電源回路２４０の調整により、必要電源電圧に応じた高電位ＶＤＤがＶＤＤ線Ｌｖｄに印加されて、各絵素において、変換後のＲ，Ｇ，Ｂ，Ｗ階調に応じた画素の発光が行われる。つまり、制御部２１０Ａの制御により、電力算出変換部ＣＰで認識された消費電力が最も低くなるＲ，Ｇ，Ｂ，Ｗ階調の各組合せ、および必要電源電圧に基づいて、各絵素に係るＲ，Ｇ，Ｂ，Ｗ画素の発光素子が発光する。
【０１８２】
以上のように、本発明の第２実施形態に係る画像表示装置１０Ａによれば、まず、Ｒ，Ｇ，Ｂ階調の組合せから、Ｒ，Ｇ，Ｂ，Ｗ階調の複数の組合せを算出する所定のルール（ここでは、ＲＧＢ−ＲＧＢＷ算出ルールＲＴ）と、Ｒ，Ｇ，Ｂ，Ｗ画素についてそれぞれ階調と電圧との関係を格納したデータ（ここでは、Ｒ，Ｇ，Ｂ，Ｗ電圧テーブルＴＲｅ，ＴＧｅ，ＴＢｅ，ＴＷｅ）、および階調と電流との関係を格納したデータ（ここでは、Ｒ，Ｇ，Ｂ，Ｗ電流テーブルＴＲｉ，ＴＧｉ，ＴＢｉ，ＴＷｉ）とを準備しておく。そして、Ｒ，Ｇ，Ｂ階調の情報を含む画像データＤ０を受け付けて、所定の算出ルールに従って、画像データＤ０に含まれるＲ，Ｇ，Ｂ階調の情報から、Ｒ，Ｇ，Ｂ，Ｗ階調の複数の組合せを導出する。次に、Ｒ，Ｇ，Ｂ，Ｗ電圧テーブルＴＲｅ，ＴＧｅ，ＴＢｅ，ＴＷｅおよびＲ，Ｇ，Ｂ，Ｗ電流テーブルＴＲｉ，ＴＧｉ，ＴＢｉ，ＴＷｉを参照して、導出されたＲ，Ｇ，Ｂ，Ｗ階調の複数の組合せのうち、消費電力が最小となるＲ，Ｇ，Ｂ，Ｗ階調の組合せを認識する。そして、当該認識されたＲ，Ｇ，Ｂ，Ｗ階調の組合せに基づいて、Ｒ，Ｇ，Ｂ，Ｗ画素の発光素子をそれぞれ発光させる。このような構成を採用することで、発光効率に加えて電源電圧の影響も考慮して、消費電力を低減することができる。したがって、発光効率の優れた色の発光素子を利用して低消費電力化を図る際に、発光効率以外のその他の要因を考慮して低消費電力化を適正に行うことが出来る。
【０１８３】
また、認識されたＲ，Ｇ，Ｂ，Ｗ階調の組合せと、Ｒ，Ｇ，Ｂ，Ｗ電圧テーブルＴＲｅ，ＴＧｅ，ＴＢｅ，ＴＷｅとに基づいて、Ｒ，Ｇ，Ｂ，Ｗ画素の発光素子にそれぞれ印加される電源電圧が調整される。このため、電源電圧の抑制による低消費電力化を細かく行うことができる。
【０１８４】
図２１で示したように、本実施形態では、８ビットの階調表現に係るＲ，Ｇ，Ｂ階調から８ビットの階調表現に係るＲ，Ｇ，Ｂ，Ｗ階調に変換する階調変換処理を行うものとして説明したが、例えば、Ｒ，Ｇ，Ｂ階調からＲ，Ｇ，Ｂ，Ｗ階調への変換が非線形な変換である場合には、第１実施形態で説明したように、色の再現性すなわち画質の劣化を招く。そこで、画質の劣化を抑制する観点から、ラインバッファＬＢで受け付けられた各絵素に係る８ビットで表現されたＲ，Ｇ，Ｂ階調の組合せから、１０ビットで表現されるＲ，Ｇ，Ｂ，Ｗ階調の組合せに変換しても良い。なお、このような構成を採用する場合には、ＲＧＢ−ＲＧＢＷ算出ルールＲＴを、８ビットの階調表現に係るＲ，Ｇ，Ｂ階調から１０ビットの階調表現に係るＲ，Ｇ，Ｂ，Ｗ階調を算出するルールとし、Ｒ，Ｇ，Ｂ，Ｗ電圧テーブルＴＲｅ，ＴＧｅ，ＴＢｅ，ＴＷｅ、およびＲ，Ｇ，Ｂ，Ｗ電流テーブルＴＲｉ，ＴＧｉ，ＴＢｉ，ＴＷｉを１０ビットの階調表現に対応するものとすれば良い。
【０１８５】
また、一般に各色において輝度と電流は比例し、また輝度は階調の２．２乗に比例するため、Ｒ，Ｇ，Ｂ，Ｗ電流テーブルＴＲｉ，ＴＧｉ，ＴＢｉ，ＴＷｉを準備しなくとも、階調から電流を計算で求めるようにしても良い。つまり、Ｒ，Ｇ，Ｂ，Ｗ電流テーブルＴＲｉ，ＴＧｉ，ＴＢｉ，ＴＷｉの代わりに、階調を２．２乗して、所定の係数を乗じると電流値が算出されるような、各色についての階調と電流との関係を規定するデータを制御部２１０Ａ内のＲＯＭ等の所定の記憶媒体に格納するようにしても良い。
【０１８６】
＜変形例＞
以上、この発明の実施形態について説明したが、この発明は上記説明した内容のものに限定されるものではない。
【０１８７】
◎例えば、上記第１実施形態では、ＲＧＢ−ＲＧＢＷ変換テーブルＴＢが、Ｒ，Ｇ，Ｂ階調の各組合せに対して、消費電力が最小となるようなＲ，Ｇ，Ｂ，Ｗ階調の組合せが関連付けられたものであるとして説明したが、これに限られず、ＲＧＢ−ＲＧＢＷ変換テーブルＴＢは、Ｒ，Ｇ，Ｂ階調の各組合せに対して、消費電力が最小となる近傍のＲ，Ｇ，Ｂ，Ｗ階調の組合せが関連付けられても、電源電圧の抑制による低消費電力化を行うことができる。すなわち、ＲＧＢ−ＲＧＢＷ変換テーブルＴＢに係るＲ，Ｇ，Ｂ，Ｗ階調の組合せが、上述したように、Ｗ階調が、最大階調未満であり且つ電源電圧に応じた所定階調以下となるような範囲内に設定されることで、Ｗ画素を最大限使用する従来技術よりも、電源電圧の抑制による低消費電力化を行うことができる。
【０１８８】
◎また、上記第２実施形態では、電源電圧が絵素ごとに変更可能であるように説明したが、これに限られず、例えば、電源電圧をライン毎に変更するようにしても良いし、１画素毎に変更しても良いし、その他の複数の画素の集合毎に電源電圧を変更するようにしても良い。
【０１８９】
◎また、上記第２実施形態では、電源電圧が変更可能であるものとして、説明したが、第１実施形態と同様に、有機ＥＬディスプレイＡＡの全画素に対して、Ｒ，Ｇ，Ｂ画素をそれぞれ最大階調に応じて発光させる際に必要な電源電圧（必要電源電圧）の最大値と等価な一定の電圧を電源電圧として印加しても良い。つまり、Ｒ，Ｇ，Ｂ，Ｗ画素の発光素子に対してそれぞれ印加される電源電圧が、Ｗ画素の発光素子を最大階調に応じて発光させる際に必要な電圧、すなわちＷ画素の必要電源電圧の最大値よりも相対的に低く設定されていても良い。このような構成を採用しても、上記第２実施形態と同様に、電源電圧の抑制による低消費電力化を図ることができる。
【０１９０】
なお、このような構成では、Ｗ階調については、所定階調以下に応じた発光のみ可能となるため、電力算出変換部ＣＰにおいて、予め設定された電源電圧を超える電圧が必要となるようなＷ階調が導出されないように設定しておく必要性がある。つまり、所定階調よりも大きなＷ階調については、電力算出および階調変換の対象としないようにすれば良いため、電力算出変換部ＣＰにおける電力算出および評価に係る処理が低減され、演算の負荷が低減される。そして、例えば、Ｗ電圧テーブルＴＷｅやＷ電流テーブルＴＷｉに関しても、所定階調よりも大きなＷ階調に係るデータを格納しておく必要性がなくなるため、予め準備しておくデータ量が低減され、ＲＯＭなどの記憶媒体のデータ容量を有効利用することもできる。すなわち、電源電圧の抑制による低消費電力化を容易に行うことができる。
【０１９１】
◎また、上記第２実施形態では、Ｒ，Ｇ，Ｂ階調の組合せから導出されたＲ，Ｇ，Ｂ，Ｗ階調の複数の組合せのうち、消費電力が最低となるＲ，Ｇ，Ｂ，Ｗ階調の組合せを認識して採用し、Ｒ，Ｇ，Ｂ，Ｗ画素の発光素子を発光させたが、これに限られず、例えば、Ｒ，Ｇ，Ｂ，Ｗ階調の複数の組合せのうち、消費電力が小さい方から所定番目（例えば２番目など）となるＲ，Ｇ，Ｂ，Ｗ階調の組合せを認識して採用し、Ｒ，Ｇ，Ｂ，Ｗ画素の発光素子を発光させるようなバリエーションも考えられる。すなわち、Ｒ，Ｇ，Ｂ，Ｗ階調の複数の組合せのうち、相対的に消費電力が小さい１組のＲ，Ｇ，Ｂ，Ｗ階調の組合せを認識して採用し、Ｒ，Ｇ，Ｂ，Ｗ画素の発光素子を発光させても良い。
【０１９２】
なお、Ｒ，Ｇ，Ｂ，Ｗ階調の複数の組合せのうち、消費電力が小さい方から所定番目となるＲ，Ｇ，Ｂ，Ｗ階調の組合せを採用して、Ｒ，Ｇ，Ｂ，Ｗ画素の発光素子を発光させても、低消費電力化を容易かつ適正に行うことが出来る。しかしながら、Ｒ，Ｇ，Ｂ，Ｗ階調の複数の組合せのうち、消費電力が最も低くなるＲ，Ｇ，Ｂ，Ｗ階調の組合せを採用して、Ｒ，Ｇ，Ｂ，Ｗ画素の発光素子をそれぞれ発光させる構成を採用する方が、低消費電力化をより適正に行うことが出来る。
【０１９３】
◎また、上記第１実施形態では、有機ＥＬディスプレイＡＡの全画素に付与される電源電圧が一定であるものとして説明したが、これに限られず、例えば、変換後のＲ，Ｇ，Ｂ，Ｗ階調に応じた電源電圧を採用するなど、電源電圧が変更可能となるような構成を採用しても良い。
【０１９４】
◎また、上記実施形態では、絵素ごとに、ＲＧＢの３色にＷの１色を加えた４種類の画素を用いる場合を挙げて説明したが、これに限られず、例えば、ＲＧＢの３色に、Ｗ以外のＲＧＢの３色を適宜混合することで実現される色（以下「Ｘ色」と称する）を加えた４種類の画素を用いるようにしても良い。また、加える画素は１色の画素に限られず、２色以上の画素を適宜加えても良い。更に、元の３色はＲＧＢの３色に限られず、例えば、黄色（Ｙ）、マゼンタ（Ｍ）、シアン（Ｃ）の３色など、相互に異なる３色であれば良い。このように、各絵素を構成する４色以上の画素の種類の変更に伴い、Ｘ色を実現するための３色の混合比を変えるようにすれば良い。但し、Ｘ色の発光効率は、他の３色を使用してＸ色と同等な色度・輝度を実現する場合の発光効率よりも良いこと、他の３色の必要電源電圧の最大値が、Ｘ色の必要電源電圧の最大値よりも小さいことが求められる。
【図面の簡単な説明】
【０１９５】
【図１】基礎技術に係る画像表示装置の画素回路を例示する図である。
【図２】画素回路において発生する寄生容量を模式的に示す図である。
【図３】基礎技術に係る画像表示装置の駆動波形を示すタイミングチャートである。
【図４】Ｃｓ初期化期間での画素回路における電流の流れを例示する図である。
【図５】準備期間での画素回路における電流の流れを例示する図である。
【図６】Ｖｔｈ補償期間での画素回路における電流の流れを例示する図である。
【図７】書込期間での画素回路における電流の流れを例示する図である。
【図８】発光期間での画素回路における電流の流れが例示する図である。
【図９】ＲＧＢＷ画素の必要電源電圧とＲＧＢＷの階調との関係を示す図である。
【図１０】白色を表示する際におけるＷ画素の使用比率と各色画素の発光輝度との関係を示した図である。
【図１１】白色を表示する際におけるＷ画素の使用比率と有機ＥＬディスプレイの全画素で流れる電流の合算値との関係を示した図である。
【図１２】本発明の実施形態に係る画像表示装置の概略構成を例示する図である。
【図１３】画像表示装置の機能構成を例示するブロック図である。
【図１４】表示部の機能構成の概略を示すブロック図である。
【図１５】白色を表示する際におけるＷ画素の使用比率と各色画素の必要電源電圧との関係を示した図である。
【図１６】白色を表示する際におけるＷ画素の使用比率と消費電力との関係を示した図である。
【図１７】有彩色を表示する際におけるＷ画素の使用比率と各色画素の必要電源電圧との関係を示した図である。
【図１８】有彩色を表示する際におけるＷ画素の使用比率と消費電力との関係を示した図である。
【図１９】無彩色の階調と、Ｒ，Ｇ，Ｂ，Ｗ階調との関係を示す図である。
【図２０】階調変換処理に係る機能構成を示す図である。
【図２１】第２実施形態に係る階調変換処理に係る機能構成を示す図である。
【図２２】Ｒ色に係る電圧および電流テーブルを例示する図である。
【符号の説明】
【０１９６】
１０，１０Ａ  画像表示装置
１００  本体部
２００，２００Ａ  表示部
２１０，２１０Ａ  制御部
２２０  画像信号線駆動回路（Ｘドライバ）
２３０  走査信号線駆動回路（Ｙドライバ）
２４０  電源回路
ＣＰ  電力算出変換部
Ｄ０  画像データ信号
ＬＢ  ラインバッファ
ＲＴ  ＲＧＢ−ＲＧＢＷ算出ルール
ＴＢ  ＲＧＢ−ＲＧＢＷ変換テーブル
ＴＰ  変換部
ＴＲｅ  Ｒ電圧テーブル
ＴＧｅ  Ｇ電圧テーブル
ＴＢｅ  Ｂ電圧テーブル
ＴＷｅ  Ｗ電圧テーブル
ＴＲｉ  Ｒ電流テーブル
ＴＧｉ  Ｇ電流テーブル
ＴＢｉ  Ｂ電流テーブル
ＴＷｉ  Ｗ電流テーブル
【図１】
2008233353.tif 000006
【図２】
2008233353.tif 000007
【図３】
2008233353.tif 000008
【図４】
2008233353.tif 000009
【図５】
2008233353.tif 000010
【図６】
2008233353.tif 000011
【図７】
2008233353.tif 000012
【図８】
2008233353.tif 000013
【図９】
2008233353.tif 000014
【図１０】
2008233353.tif 000015
【図１１】
2008233353.tif 000016
【図１２】
2008233353.tif 000017
【図１３】
2008233353.tif 000018
【図１４】
2008233353.tif 000019
【図１５】
2008233353.tif 000020
【図１６】
2008233353.tif 000021
【図１７】
2008233353.tif 000022
【図１８】
2008233353.tif 000023
【図１９】
2008233353.tif 000024
【図２０】
2008233353.tif 000025
【図２１】
2008233353.tif 000026
【図２２】
2008233353.tif 000027